(57)【要約】【課題】本発明は、色再現性が良好な高演色液晶表示装置等を提供することを主目的とする。【解決手段】青色発光素子ならびに上記青色発光素子の発光光路上に配置された緑色量子ドットおよび赤色量子ドットを有し、所定の発光スペクトルの光を発光するバックライト部と、透明基板および上記透明基板上に形成された赤色着色層、緑色着色層および青色着色層を含む着色層を有するカラーフィルタ、対向基板、ならびに上記カラーフィルタおよび上記対向基板の間に形成された液晶層を有する液晶セル部と、を有し、上記カラーフィルタの上記緑色着色層が、青色色材および黄色色材を含有することを特徴とする高演色液晶表示装置により上記目的を達成する。【選択図】図２
2016167041.tif 000002
【特許請求の範囲】
【請求項１】
青色発光素子ならびに前記青色発光素子の発光光路上に配置された緑色量子ドットおよび赤色量子ドットを有し、発光スペクトルの青色光のピーク波長におけるピーク位置が４６３ｎｍ±４ｎｍの範囲内に存在し半値幅が２５ｎｍ以下であり、緑色光のピーク波長におけるピーク位置が５２３ｎｍ±５ｎｍの範囲内に存在し半値幅が４０ｎｍ以下であり、赤色光のピーク波長におけるピーク位置が６４６ｎｍ±８ｎｍの範囲内に存在し半値幅が３５ｎｍ以下の光を発光するバックライト部と、
透明基板および前記透明基板上に形成された赤色着色層、緑色着色層および青色着色層を含む着色層を有するカラーフィルタ、対向基板、ならびに前記カラーフィルタおよび前記対向基板の間に形成された液晶層を有する液晶セル部と、
を有し、
前記カラーフィルタの前記緑色着色層が、青色色材および黄色色材を含有することを特徴とする高演色液晶表示装置。
【請求項２】
前記緑色着色層に含有される前記青色色材が、フタロシアニン系青色色材およびトリアリールメタン系青色色材の少なくともいずれかを含み、前記黄色色材が、Ｃ．Ｉ．ピグメントイエロー８３、Ｃ．Ｉ．ピグメントイエロー１３９、Ｃ．Ｉ．ピグメントイエロー１５０、Ｃ．Ｉ．ピグメントイエロー１７６、Ｃ．Ｉ．ピグメントイエロー１８１、Ｃ．Ｉ．ピグメントイエロー１８３およびＣ．Ｉ．ピグメントイエロー１９１の少なくともいずれかを含むことを特徴とする請求項１に記載の高演色液晶表示装置。
【請求項３】
前記青色着色層が、トリアリールメタン系青色色材を含有することを特徴とする請求項１または請求項２に記載の高演色液晶表示装置。
【請求項４】
青色発光素子ならびに前記青色発光素子の発光光路上に配置された緑色量子ドットおよび赤色量子ドットを有し、発光スペクトルの青色光のピーク波長におけるピーク位置が４６３ｎｍ±４ｎｍの範囲内に存在し半値幅が２５ｎｍ以下であり、緑色光のピーク波長におけるピーク位置が５２３ｎｍ±５ｎｍの範囲内に存在し半値幅が４０ｎｍ以下であり、赤色光のピーク波長におけるピーク位置が６４６ｎｍ±８ｎｍの範囲内に存在し半値幅が３５ｎｍ以下の光を発光するバックライト部と、
透明基板および前記透明基板上に形成された赤色着色層、緑色着色層および青色着色層を含む着色層を有するカラーフィルタ、対向基板、ならびに前記カラーフィルタおよび前記対向基板の間に形成された液晶層を有する液晶セル部と、を有する高演色液晶表示装置に用いられるカラーフィルタであって、
前記緑色着色層が、青色色材および黄色色材を含有することを特徴とするカラーフィルタ。
【発明の詳細な説明】
【技術分野】
【０００１】
本発明は、量子ドットを用いたバックライト部を有する高演色液晶表示装置およびこれに用いられるカラーフィルタに関する。
【背景技術】
【０００２】
近年、パーソナルコンピューターの発達、特に携帯用パーソナルコンピューターの発達に伴って、液晶表示装置の需要が増加している。また、最近においては家庭用の液晶テレビの普及率も高まっており、スマートフォン、タブレット端末も広く普及しつつあることから、益々液晶表示装置の市場は拡大する状況にある。
このような液晶表示装置は、一般的に、カラーフィルタ、対向基板、これらに挟持された液晶層を有する液晶セル部を有し、さらに、バックライト部とよばれる光源を有するものである。
【０００３】
液晶表示装置の分野においては、正確な色表現により、映像をより美しく自然に豊かな色彩で表示することへの要望が高まっており、高い色再現性を有する液晶表示装置が求められている。液晶表示装置において色再現性を高くするためには、液晶表示装置により画面上に再現できる色域（以下、単に液晶表示装置の色域と称して説明する場合がある。）をより広範囲にすることが必要である。
【０００４】
ここで、色域とは、可視領域のうち特定の範囲をいい、例えば図１に示すように、ＣＩＥ（国際照明委員会）が定めたＸＹＺ表色系（ＣＩＥ  １９３１  表色系）のｘｙ色度図を使用して表わすことができる。色域は、上記ｘｙ色度図においてはＲ、Ｇ、Ｂの頂点座標を定めそれぞれを直線で結んだ三角形で示すことができる。色域は従来から種々の規格により定められており、例えば、ＮＴＳＣ規格等が挙げられる。ＮＴＳＣ規格はアメリカの国家テレビ標準化委員会が作成したアナログテレビ方式の色域の規格である。
また、例えば、従来の液晶表示装置においては、ＨＤ信号規格であるＢＴ．７０９の色域に対応できるように設計がされている。ＢＴ．７０９の色域は、ＮＴＳＣ比で７２％程度となる。
また、近年では、ＢＴ．７０９の色域よりも広色域であるデジタルシネマイニシアチブ（Digital Cinema Initiatives、ＤＣＩ）規格が作成されており、これに対応する色域を有する液晶表示装置の開発も進められている。
【０００５】
液晶表示装置の色域を広範囲にするためには、バックライト部の光源として演色性が良好なものを用いる必要がある。具体的には、青色領域、緑色領域および赤色領域の３原色の領域にピーク波長を有する発光スぺクトルを示す発光光源が求められている。
このようなバックライト部として、最近では、量子ドットの技術を用いたバックライト部の開発が進められている（特許文献１および非特許文献１、２）。
上記量子ドットを用いたバックライト部としては、例えば、青色発光素子、緑色量子ドットおよび赤色量子ドットを有する構成のものが提案されており、上記バックライト部は、発光スペクトルのピーク波長が鋭く、色純度が高いといった特徴を有する。
また、上記バックライト部を有する液晶表示装置においては、その色域を従来の液晶表示装置の色域に比べて広範囲なものとすることができ、例えばＤＣＩ規格の色域や、ＮＴＳＣ比が１００％の色域を達成することができるものも開発されている。
【０００６】
ここで、量子ドット（Quantum dot）とは、半導体のナノメートルサイズの微粒子をいう。また、量子ドットは、電子や励起子がナノメートルサイズの小さな結晶内に閉じ込められる量子閉じ込め効果（量子サイズ効果）により、特異的な光学的、電気的性質を示し、半導体ナノ粒子（Semiconductor Nanoparticle）、半導体ナノ結晶（Semiconductor Nanocrystal）とも呼ばれるものである。量子ドットとしては、例えば、自らの粒径によって発光色が規制される半導体微粒子と、ドーパントを有する半導体微粒子とがある。
【先行技術文献】
【特許文献】
【０００７】
【特許文献１】特表２０１３−５３９５９８号公報
【非特許文献】
【０００８】
【非特許文献１】John Van Derlofske Ph.D., Gilles Benoit Ph.D., Art Lathrop,Dave Lamb Ph.D., “Quauntum Dot Enhancement of Color For LCD Systems”,IDW'13  FMC8-1（アメリカ）、ｐ.548−551
【非特許文献２】田中直樹著「量子ドットディスプレーへ」、日経エレクトロニクス、２０１４年３月３日、ｐ.53-59
【発明の概要】
【発明が解決しようとする課題】
【０００９】
ところで、最近、液晶表示装置の分野においては、新たに超高精細度テレビジョンの規格としてＢＴ．２０２０の色域が提唱されている。図１に示すように、ＢＴ．２０２０の色域は従来の各規格の色域に比べて広範囲であり、従来の液晶表示装置の色域では上記色域に対して面積比およびカバー率のいずれも十分なものとすることが困難である。また、ＢＴ．２０２０の色域に対応できる液晶表示装置の設計については未だに見出されていない。
【００１０】
本発明は、上記実情に鑑みてなされたものであり、色再現性が良好な高演色液晶表示装置およびこれに用いられる高演色液晶表示装置用カラーフィルタを提供することを主目的とする。
【課題を解決するための手段】
【００１１】
本発明者らは、上記目的を達成するために鋭意研究を行なった。
本発明者らは、まず、シミュレーションにより、量子ドットを有するバックライト部の発光スペクトルにおける赤色光、緑色光および青色光の各ピーク波長のピークの位置および半値幅を調整することを試みたところ、緑色光の半値幅については所望の程度まで狭くすることが困難であるとの知見を得た。そこで、本発明者らはバックライト部と組み合わせて用いられるカラーフィルタの緑色着色層について、所望の透過特性を付与することを検討したところ、従来から汎用されているカラーフィルタの緑色着色層の設計、材料の処方を調整すると緑色着色層自体の形成が困難であることを知見した。上記知見を得た本発明者らは、さらに鋭意研究を重ね、緑色着色層の色材として青色色材および黄色色材を含有させることにより、青色色材および黄色色材により緑色着色層に付与される２つの分光透過率を組み合わせることで、所望の透過特性を有する緑色着色層を得ることができることを見出し、本発明を完成させるに至った。
【００１２】
すなわち、本発明は、青色発光素子ならびに上記青色発光素子の発光光路上に配置された緑色量子ドットおよび赤色量子ドットを有し、発光スペクトルの青色光のピーク波長におけるピーク位置が４６３ｎｍ±４ｎｍの範囲内に存在し半値幅が２５ｎｍ以下であり、緑色光のピーク波長におけるピーク位置が５２３ｎｍ±５ｎｍの範囲内に存在し半値幅が４０ｎｍ以下であり、赤色光のピーク波長におけるピーク位置が６４６ｎｍ±８ｎｍの範囲内に存在し半値幅が３５ｎｍ以下の光を発光するバックライト部と、透明基板および上記透明基板上に形成された赤色着色層、緑色着色層および青色着色層を含む着色層を有するカラーフィルタ、対向基板、ならびに上記カラーフィルタおよび上記対向基板の間に形成された液晶層を有する液晶セル部と、を有し、上記カラーフィルタの上記緑色着色層が、青色色材および黄色色材を含有することを特徴とする高演色液晶表示装置を提供する。
【００１３】
本発明によれば、上述のバックライト部およびカラーフィルタを有することにより、従来の液晶表示装置の色域に比べて広色域な高演色液晶表示装置とすることができる。よって、色再現性が良好な高演色液晶表示装置とすることができる。
【００１４】
上記発明においては、上記緑色着色層に含有される上記青色色材が、フタロシアニン系青色色材およびトリアリールメタン系青色色材の少なくともいずれかを含み、上記黄色色材が、Ｃ．Ｉ．ピグメントイエロー８３、Ｃ．Ｉ．ピグメントイエロー１３９、Ｃ．Ｉ．ピグメントイエロー１５０、Ｃ．Ｉ．ピグメントイエロー１７６、Ｃ．Ｉ．ピグメントイエロー１８１、Ｃ．Ｉ．ピグメントイエロー１８３およびＣ．Ｉ．ピグメントイエロー１９１の少なくともいずれかを含むことが好ましい。緑色着色層の透過特性を良好に調整することができるからである。
【００１５】
上記発明においては、上記青色着色層が、トリアリールメタン系青色色材を含有することも好ましい。青色着色層の透過特性を良好に調整することができるからである。
【００１６】
本発明は、青色発光素子ならびに上記青色発光素子の発光光路上に配置された緑色量子ドットおよび赤色量子ドットを有し、発光スペクトルの青色光のピーク波長におけるピーク位置が４６３ｎｍ±４ｎｍの範囲内に存在し半値幅が２５ｎｍ以下であり、緑色光のピーク波長におけるピーク位置が５２３ｎｍ±５ｎｍの範囲内に存在し半値幅が４０ｎｍ以下であり、赤色光のピーク波長におけるピーク位置が６４６ｎｍ±８ｎｍの範囲内に存在し半値幅が３５ｎｍ以下の光を発光するバックライト部と、透明基板および上記透明基板上に形成された赤色着色層、緑色着色層および青色着色層を含む着色層を有するカラーフィルタ、対向基板、ならびに上記カラーフィルタおよび上記対向基板の間に形成された液晶層を有する液晶セル部と、を有する高演色液晶表示装置に用いられるカラーフィルタであって、上記緑色着色層が、青色色材および黄色色材を含有することを特徴とするカラーフィルタを提供する。
【００１７】
本発明によれば、緑色着色層が青色色材および黄色色材を含有することにより、上述のバックライト部とともに高演色液晶表示装置に用いた場合に、色再現性を良好にすることが可能なカラーフィルタとすることができる。
【発明の効果】
【００１８】
本発明の高演色液晶表示装置は、色再現性が良好であるといった効果を有する。
【図面の簡単な説明】
【００１９】
【図１】色域について説明するＸＹＺ表色系のｘｙ色度図である。
【図２】本発明の液晶表示装置の一例を示す概略断面図である。
【図３】緑色着色層の透過スペクトルについて説明する図である。
【図４】本発明におけるカラーフィルタの透過スペクトルを説明するイメージグラフである。
【図５】一般式（ＩＩ）で表わされる色材の分子会合状態を示す模式図である。
【図６】本発明におけるバックライト部の発光スペクトルを説明するイメージグラフである。
【図７】本発明のカラーフィルタの一例を示す概略断面図である。
【発明を実施するための形態】
【００２０】
以下、本発明の高演色液晶表示装置およびこれに用いるカラーフィルタの詳細について説明する。
【００２１】
なお、本明細書において、「Ｃ．Ｉ．」とは、Ｔｈｅ Ｓｏｃｉｅｔｙ ｏｆ Ｄｙｅｒｓ ａｎｄ Ｃｏｌｏｕｒｉｓｔｓ社発行のカラーインデックスの略を示す。
また、高演色液晶表示装置とは、量子ドットを有するバックライト部を備える液晶表示装置をいう。
また、本明細書において可視領域とは、３８０ｎｍ〜７８０ｎｍの波長領域をいう。
半値幅は、半値全幅（ＦＷＨＭ、Ｆｕｌｌ  Ｗｉｄｔｈ  ａｔ  Ｈａｌｆ  Ｍａｘｉｍｕｍ）をいう。
【００２２】
Ａ．高演色液晶表示装置
本発明の高演色液晶表示装置は、青色発光素子ならびに上記青色発光素子の発光光路上に配置された緑色量子ドットおよび赤色量子ドットを有し、発光スペクトルの青色光のピーク波長におけるピーク位置が４６３ｎｍ±４ｎｍの範囲内に存在し半値幅が２５ｎｍ以下であり、緑色光のピーク波長におけるピーク位置が５２３ｎｍ±５ｎｍの範囲内に存在し半値幅が４０ｎｍ以下であり、赤色光のピーク波長におけるピーク位置が６４６ｎｍ±８ｎｍの範囲内に存在し半値幅が３５ｎｍ以下の光を発光するバックライト部と、透明基板および上記透明基板上に形成された赤色着色層、緑色着色層および青色着色層を含む着色層を有するカラーフィルタ、対向基板、ならびに上記カラーフィルタおよび上記対向基板の間に形成された液晶層を有する液晶セル部と、を有し、上記カラーフィルタの上記緑色着色層が、青色色材および黄色色材を含有することを特徴とするものである。
【００２３】
図２は、本発明の高演色液晶表示装置の一例を示す概略断面図である。図２に示すように、本発明の高演色液晶表示装置１００は、透明基板１、透明基板１上に形成された赤色着色層２Ｒ、緑色着色層２Ｇおよび青色着色層２Ｂを有する着色層２、各着色層２Ｒ、２Ｇ、２Ｂの間に形成され、画素を画定する遮光部３を有するカラーフィルタ４、対向基板５、ならびにカラーフィルタ４および対向基板５の間に形成された液晶層６を有する液晶セル部１０を有する。また、本発明の高演色液晶表示装置１００は、青色発光素子２１、青色発光素子２１の発光光路上に配置された緑色量子ドット２２および赤色量子ドット２３、ならびに導光板２２０を有するバックライト部２０を有する。図２においては、バックライト部２０の導光板２２０の偏光板３０Ｂ側の表面上に緑色量子ドット２２および赤色量子ドット２３が分散された樹脂シート２５が配置されている例について示している。また、液晶セル部１０の表面には、通常、偏光板３０Ａ、３０Ｂが配置される。
【００２４】
本発明によれば、上述のバックライト部およびカラーフィルタを有することにより、従来の液晶表示装置の色域に比べて広色域な高演色液晶表示装置とすることができる。よって、色再現性が良好な高演色液晶表示装置とすることができる。
【００２５】
上述したようにＢＴ．２０２０の色域は、従来の液晶表示装置の色域では上記色域に対して面積比およびカバー率のいずれも十分なものとすることが困難である。また、ＢＴ．２０２０の色域に対応できる液晶表示装置の設計については未だに見出されていない。
【００２６】
上記実情に鑑みて、本発明者らは鋭意研究を行なった。
まず、本発明者らは、シミュレーションによりＢＴ．２０２０の色域に対応可能なバックライト部の設計を試みた。
図１に示すｘｙ色度図におけるＢＴ．２０２０のＲ、Ｇ、Ｂの各頂点座標に対応する色の波長領域は、Ｒが６３０ｎｍ〜６６０ｎｍの波長領域、Ｇが５２０ｎｍ〜５２５ｎｍの波長領域およびＢが４６１ｎｍ〜４７７ｎｍの波長領域である。すなわち、バックライト部においては発光スペクトルの赤色光、緑色光および青色光が上述した各波長領域の光を多く含むことが必要である。このような観点からシミュレーションを行なった結果、青色光についてはより長波長側にピーク位置を有する青色発光素子を用いることにより調整することができ、赤色光については赤色量子ドットの粒径および粒度分布の調整により所望の発光スペクトルを示すものを得られることを知見した。一方で緑色光については半値幅を所望の程度まで小さくすることが困難であることを知見した。この理由は次の通りである。
量子ドットは、その粒径により発光する光の色、すなわち波長領域を調整することが可能なものであり粒径が３ｎｍ付近で緑色光を発光し、７ｎｍ付近で赤色光を発光するものである。したがって、緑色量子ドットは、赤色量子ドットに比べてより微細な粒径の制御が必要となる。よって、特定の波長領域の色に対応する粒径の粒子を所望の粒度分布に制御することが困難であるという問題があるからである。
【００２７】
そこで、本発明者らは上述のバックライト部と組み合わせて用いられるカラーフィルタにおける緑色着色層の透過特性を調整し、所望の波長領域の緑色光を透過させることを検討した。具体的には、透過スペクトルのピーク波長が上述した波長領域に存在し、より狭い半値幅を有する緑色着色層を得ることを検討した。このような緑色着色層の設計としては、従来の液晶表示装置のカラーフィルタにおける緑色着色層に比べて色を濃くして透過スペクトルのすその広がりを抑制することが考えられる。色の濃い緑色着色層を得るためには、従来から汎用されているカラーフィルタにおける緑色着色層の厚さを厚くするか、緑色着色層に含有される緑色色材の含有量を多くすることが考えられる。しかしながら、緑色着色層の厚さを厚くする場合は、例えばフォトリソグラフィ法を用いる場合は現像することが困難となる可能性があり、インクジェット法等の吐出法においては塗膜の厚さを十分に確保することが困難となることが考えられる。また、緑色着色層の厚さを厚くした場合、バインダ樹脂の硬化が十分に進まないことが懸念される。一方、緑色着色層に含有される緑色色材の含有量を多くすると、緑色着色層用樹脂組成物に含有される樹脂成分の含有量が相対的に少なくなることから、フォトリソグラフィ法を用いる場合は現像性を確保することが困難となる可能性がある。また、緑色着色層に含有される樹脂が相対的に少なくなることから、緑色着色層の強度、透明基板との密着性が低下することが懸念される。したがって、従来から汎用されているカラーフィルタの緑色着色層の設計、材料の処方を所望の透過特性を有するように調整すると緑色着色層自体の形成が困難な場合があることが判明した。
【００２８】
本発明者らは、さらに鋭意研究を重ねた結果、緑色着色層の色材として青色色材および黄色色材を用いることにより、所望の透過特性を示す緑色着色層を得ることができることを見出した。すなわち、図３に示すように、黄色色材により着色層に付与される透過スペクトル（図３中、黄色）における５００ｎｍ付近の立ち上がり部分と、青色色材により着色層に付与される透過スペクトル（図３中、青色）における５５０ｎｍ付近における立下り部分とを組み合わせることにより、緑色着色層について所望の透過特性（図３中、黄色＋青色）を得ることができることを見出し、本発明を完成させるに至った。
【００２９】
なお、図３に示すように、黄色色材または青色色材により着色層に付与される透過スペクトルは重なりをほとんど有さないことから、黄色色材および青色色材を混ぜて着色層に用いた場合は、着色層の透過率は低下する傾向にある。従来から一般的に、液晶表示装置に用いられるカラーフィルタにおいては、バックライト部からの光の利用効率を高くするため、カラーフィルタにおける各着色層の透過率については、より高くすることが要求される。そのため、例えば、青色色材および黄色色材のように着色層全体の透過率が低下する色材の組み合わせを用いることは、通常の液晶表示装置の設計として従来から一般的に採用されているものではない。
【００３０】
以下、本発明の高演色液晶表示装置の各構成について説明する。
【００３１】
Ｉ．液晶セル部
本発明の液晶セル部は、カラーフィルタと、対向基板と、液晶層とを有するものである。
【００３２】
１．カラーフィルタ
本発明におけるカラーフィルタは、透明基板および着色層を有するものである。
【００３３】
（１）着色層
本発明における着色層は、赤色着色層、緑色着色層および青色着色層を有するものである。
【００３４】
(Ａ)緑色着色層
本発明における緑色着色層は、後述するバックライト部における緑色光に対する選択透過性を有するものである。
【００３５】
上記緑色着色層の透過特性としては、後述するバックライト部における緑色光に対する選択透過性を示すことができれば特に限定されないが、４７５ｎｍ〜６００ｎｍの波長領域の光を透過することが好ましく、中でも５１０ｎｍ〜５５０ｎｍの波長域の光を透過することが好ましい。また、緑色着色層の透過特性としては、５１０ｎｍ〜５５０ｎｍの平均透過率が５％以上であることが好ましい。後述するバックライト部における緑色光に対する選択透過性を良好にすることができるからである。
また、上記緑色着色層の透過特性としては、３８０ｎｍ〜５１０ｎｍの波長領域および
５５０ｎｍ〜７８０ｎｍの波長領域における平均透過率が１５％未満であることが好ましく、０．１％未満であることがさらに好ましい。緑色着色層の上述の各波長領域における平均透過率が高すぎると、本発明の高演色液晶表示装置の色域の緑色領域を十分に広げることが困難となる可能性があるからである。
また、緑色着色層の透過特性としては、４００ｎｍ〜５００ｎｍの波長領域における平均透過率が１５％未満であることが好ましく、１０％未満であることがより好ましい。また、５５０ｎｍ〜６００ｎｍの波長領域における平均透過率が１５％未満であることが好ましく、１０％未満であることがより好ましい。
【００３６】
本発明における緑色着色層の透過スペクトルとしては、例えば、図４に示されるスペクトルを挙げることができる。なお、図４は、本発明におけるカラーフィルタの透過スペクトルの一例を説明するイメージグラフである。
【００３７】
本明細書において、着色層の各波長領域の平均透過率とは、着色層の透過スペクトルを各波長領域にわたって平均することにより得られる値である。着色層の透過スペクトルは、一般的な測定方法により求めることができ、例えば、顕微分光装置ＯＳＰ−ＳＰ２０００（ＯＬＹＭＰＵＳ社製）を用いて測定することにより求めることができる。
【００３８】
本発明における緑色着色層は、青色色材および黄色色材を含有するものである。また、本発明における緑色着色層は、色材として青色色材および黄色色材のみを含有していてもよく、必要に応じてさらに緑色色材を含有していてもよいものである。
【００３９】
緑色着色層に含有される青色色材としては、緑色着色層に所望の透過特性を付与することができれば特に限定されないが、フタロシアニン系青色色材およびトリアリールメタン系青色色材の少なくともいずれかを含むことが好ましい。これらの青色色材を用いることにより、緑色着色層の透過特性を調整しやすいからである。
【００４０】
フタロシアニン系青色色材としては、一般的なカラーフィルタに用いられるものと同様とすることができ、例えば、Ｃ．Ｉ．ピグメントブルー（ＰＢ）１５：１、ＰＢ１５：３、ＰＢ１５：４、ＰＢ１５：６および亜鉛フタロシアニン顔料等を挙げることができる。フタロシアニン系青色色材としては１種のみを用いてもよく、２種以上を用いてもよい。
トリアリールメタン系青色色材については、後述する「（Ｂ）青色着色層」の項で説明するものを好適に選択して用いることができる。
【００４１】
緑色着色層に含有される黄色色材としては、緑色着色層に所望の選択透過性を付与することができれば特に限定されないが、Ｃ．Ｉ．ピグメントイエロー８３、Ｃ．Ｉ．ピグメントイエロー１３９、Ｃ．Ｉ．ピグメントイエロー１５０、Ｃ．Ｉ．ピグメントイエロー１７６、Ｃ．Ｉ．ピグメントイエロー１８１、Ｃ．Ｉ．ピグメントイエロー１８３およびＣ．Ｉ．ピグメントイエロー１９１の少なくともいずれかを含むことが好ましく、中でもＣ．Ｉ．ピグメントイエロー１３９を少なくとも含むことが好ましい。これらの黄色色材を用いることにより、緑色着色層の透過特性を調整しやすいからである。
【００４２】
緑色着色層に含有される青色色材の含有量および黄色色材の含有量の比率については、緑色着色層が所望の透過特性を有することができれば特に限定されず、青色色材および黄色色材の種類に応じて適宜選択することができる。例えば、質量比率として、青色色材の含有量：黄色色材の含有量が、１０：９０〜７０：３０の範囲内であることが好ましく、中でも２０：８０〜６０：４０の範囲内であることが好ましく、特に２５：７５〜５５：４５の範囲内であることが好ましい。青色色材の含有量の比率が大きすぎ黄色色材の含有量の比率が小さすぎる場合は、緑色着色層の透過スペクトルのピーク波長が短波長側にずれてしまう可能性があるからであり、青色色材の含有量の比率が小さすぎ黄色色材の含有量の比率が大きすぎる場合は、緑色着色層の透過スペクトルのピーク波長が長波長側にずれてしまう可能性があるからである。
【００４３】
また、緑色着色層は青色色材および黄色色材を含有していればよく、必要に応じて緑色色材を更に含有していてもよい。なお、緑色色材については、一般的なカラーフィルタに用いられるものと同様とすることができる。
【００４４】
緑色着色層中の色材全体の含有量としては、所望の透過特性を有する緑色着色層とすることができれば特に限定されないが、５質量％〜５０質量％の範囲内、中でも１５質量％〜４５質量％の範囲内、特に２５質量％〜４０質量％の範囲内であることが好ましい。
上記色材全体の含有量が少ないと、緑色着色層の透過率が高くなりすぎバックライト部の緑色光に対して十分な選択透過性を発揮することが困難となる可能性があるからである。また、上記色材全体の含有量が多いと、緑色着色層自体を形成することが困難となる可能性があるからである。
なお、色材全体の含有量とは、緑色着色層中に含有される全ての色材の含有量をいい、具体的には青色色材の含有量および黄色色材の含有量、さらに必要に応じて含有される緑色色材の含有量の総和をいう。
【００４５】
緑着色層は、通常、バインダー樹脂を含むものである。緑色着色層に用いられるバインダー樹脂としては、一般的なカラーフィルタに用いられるものと同様とすることができ、例えば、硬化性樹脂、感光性樹脂等を挙げることができる。バインダー樹脂としては、特許５２２３９８０号公報、および特許５４０３１７５号公報に記載の着色層樹脂組成物に用いられる感光性バインダー成分や硬化性バインダー成分を硬化させたものを好適に用いることができる。
【００４６】
緑色着色層は、上述した色材およびバインダー樹脂を含有していれば特に限定されず、必要な成分を添加することができる。このような成分としては、例えば、後述する「（Ｂ）青色着色層」の項で説明する酸化防止剤等を上げることができる。
【００４７】
緑色着色層の厚さ、配列および形成方法については、後述する「（Ｄ）着色層」の項で説明するため、ここでの説明は省略する。
【００４８】
(Ｂ)青色着色層
本発明における青色着色層は、後述するバックライト部における青色光に対する選択透過性を有するものである。
【００４９】
上記青色着色層の透過特性としては、後述するバックライト部における青色光に対する選択透過性を示すことができれば特に限定されないが、５５０ｎｍ以上の可視領域の光を透過しないものであることが好ましい。後述するバックライト部における青色光に対する選択透過性を良好にすることができるからである。
また、本発明おいては、４６１ｎｍ〜４７７ｎｍの波長領域における平均透過率が、６０％以上、中でも６０％〜８０％の範囲内、特に７０％〜８０％の範囲内であることが好ましい。青色着色層の４６１ｎｍ〜４７７ｎｍの波長領域における平均透過率が低すぎると、バックライト部における青色光を十分に利用することが困難となる可能性があるからである。
また、本発明においては、４７７ｎｍ〜５５０ｍの波長領域におけるそれぞれの平均透過率が、２％以下、中でも１％以下、特に０．５％以下であることが好ましい。青色着色層の上述の波長領域における平均透過率が高すぎると、本発明の高演色液晶表示装置の色域の青色領域を十分に広げることが困難となる可能性があるからである。
また、青色着色層の透過特性としては、５００ｎｍ〜５２５ｎｍの波長領域における平均透過率が２％以下、中でも１％以下、特に０．５％以下であることが好ましい。
【００５０】
本発明における青色着色層の透過スペクトルとしては、例えば、図４に示されるスペクトルを挙げることができる。
【００５１】
青色着色層は、青色色材を含有するものである。
青色着色層に含有される青色色材としては、青色着色層に所望の透過特性を付与することができれば特に限定されないが、トリアリールメタン系青色色材を含有することが好ましく、中でも下記の一般式（Ｉ）で表わされる色材や下記の一般式（ＩＩ）で表わされる色材の少なくともいずれかを含有することが好ましい。所望の透過特性を有する青色着色層を良好に調整して形成することができるからである。
【００５２】
【化１】
2016167041.tif 000003
【００５３】
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂ−は１価のアニオンを表し、複数あるＢ−は同一であっても異なっていてもよい。Ｒ１〜Ｒ５は各々独立に水素原子、置換基を有していてもよいアルキル基又は置換基を有していてもよいアリール基を表し、Ｒ２とＲ３、Ｒ４とＲ５が結合して環構造を形成してもよい。Ａｒ１は置換基を有していてもよい２価の芳香族基を表す。複数あるＲ１〜Ｒ５及びＡｒ１はそれぞれ同一であっても異なっていてもよい。
ａは２〜４の整数を表す。ｂは０又は１であり、ｂが０のとき結合は存在しない。複数あるｂは同一であっても異なっていてもよい。）
【００５４】
【化２】
2016167041.tif 000004
【００５５】
（一般式（ＩＩ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のアニオンを表す。Ｒ１〜Ｒ５は各々独立に水素原子、置換基を有していてもよいアルキル基又は置換基を有していてもよいアリール基を表し、Ｒ２とＲ３、Ｒ４とＲ５が結合して環構造を形成してもよい。Ａｒ１は置換基を有していてもよい２価の芳香族基を表す。複数あるＲ１〜Ｒ５及びＡｒ１はそれぞれ同一であっても異なっていてもよい。
ａは２〜４の整数、ｃは２以上の整数、ｂ及びｄは１以上の整数を表す。ｅは０又は１であり、ｅが０のとき結合は存在しない。複数あるｅは同一であっても異なっていてもよい。）
【００５６】
以下、一般式（Ｉ）で表わされる色材および一般式（ＩＩ）で表わされる色材の詳細について説明する。
【００５７】
（ａ）一般式（Ｉ）で表わされる色材
上述した一般式（Ｉ）で表わされる色材は、カチオン部およびアニオン部を有する。以下、それぞれについて説明する。
【００５８】
（ｉ）カチオン部
上記色材のカチオン部は、下記一般式（ＩＩＩ）で表される構造を有する２価以上のカチオンである。一般式（ＩＩＩ）で表されるカチオン部は、従来のトリアリールメタン系塩基性染料やキサンテン系塩基性染料と異なり、その塩化物であっても水に実質的に溶解しない。
一般式（ＩＩＩ）で表される構造は従来のトリアリールメタン骨格一つのみからなるカチオンがａ価の共有結合を介して連結された２価以上のカチオンである。
従来のトリアリールメタン骨格一つのみからなるモノカチオンとアニオンとが構成する結合種がイオン結合のみであると考えた場合、本発明の２価以上のカチオンからなる塩形成物を構成する結合種はイオン結合に加え、モノカチオン同士を連結する共有結合を含む構造であると考えることができる。そのため、下記一般式（ＩＩＩ）で表される構造を有する２価以上のカチオンからなる塩形成物は、従来のトリアリールメタン骨格一つからなる塩形成物よりも構成要素全体により強い結合種が増えた結果、安定性が高くなり、水和しにくくなると推定される。更に、下記一般式（ＩＩＩ）で表される構造は、連結基Ａの影響で分子量が大きくなり、且つ、疎水性がより高くなるため、結合の安定性と相俟って水に実質的に溶解しなくなると推定される。
【００５９】
【化３】
2016167041.tif 000005
【００６０】
（一般式（ＩＩＩ）中、Ａ、Ｒ１〜Ｒ５、Ａｒ１、ａ及びｂは、一般式（Ｉ）と同様である。
上記一般式（ＩＩＩ）におけるｂは、０又は１の整数である。ｂが０の場合、下記化学式（ＩＶ）で表されるトリアリールメタン骨格を有する。）
【００６１】
【化４】
2016167041.tif 000006
【００６２】
（化学式（ＩＶ）中、Ｒ１〜Ｒ５及びＡｒ１は、一般式（Ｉ）と同様である。）
【００６３】
また、ｂが１の場合、下記化学式（Ｖ）で表されるキサンテン骨格を有する。
【００６４】
【化５】
2016167041.tif 000007
【００６５】
（化学式（Ｖ）中、Ｒ１〜Ｒ５及びＡｒ１は、一般式（Ｉ）と同様である。）
【００６６】
複数あるｂは同一であっても異なっていてもよい。すなわち、例えば、トリアリールメタン骨格のみ、又は、キサンテン骨格のみを複数有するカチオン部であってもよく、１分子内に、トリアリールメタン骨格とキサンテン骨格との両方を含むカチオン部であってもよい。色純度の点からは、同一骨格のみを有するアニオン部であることが好ましい。一方、トリアリールメタン骨格とキサンテン骨格との両方を含むカチオン部とすることにより、また、後述する置換基の組み合わせにより、一般式（Ｉ）の色材は、所望の色に調整することができる。
【００６７】
上記一般式（Ｉ）におけるＡは、Ｎ（窒素原子）と直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ（酸素原子）、Ｓ（硫黄原子）、Ｎ（窒素原子）が含まれていてもよいものである。Ｎと直接結合する炭素原子がπ結合を有しないため、カチオン性の発色部位が有する色調や透過率等の色特性は、連結基Ａや他の発色部位の影響を受けず、単量体と同様の色を保持することができる。
Ａにおいて、少なくともＮと直接結合する末端に飽和脂肪族炭化水素基を有する脂肪族炭化水素基は、Ｎと直接結合する末端の炭素原子がπ結合を有しなければ、直鎖、分岐又は環状のいずれであってもよく、末端以外の炭素原子が不飽和結合を有していてもよく、置換基を有していてもよく、炭素鎖中に、Ｏ、Ｓ、Ｎが含まれていてもよい。例えば、カルボニル基、カルボキシ基、オキシカルボニル基、アミド基等が含まれていてもよく、水素原子が更にハロゲン原子等に置換されていてもよい。
また、Ａにおいて上記脂肪族炭化水素基を有する芳香族基は、少なくともＮと直接結合する末端に飽和脂肪族炭化水素基を有する脂肪族炭化水素基を有する、単環又は多環芳香族基が挙げられ、置換基を有していてもよく、Ｏ、Ｓ、Ｎが含まれる複素環であってもよい。
中でも、骨格の堅牢性の点から、Ａは、環状の脂肪族炭化水素基又は芳香族基を含むことが好ましい。
環状の脂肪族炭化水素基としては、中でも、有橋脂環式炭化水素基が、骨格の堅牢性の点から好ましい。有橋脂環式炭化水素基とは、脂肪族環内に橋かけ構造を有し、多環構造を有する多環状脂肪族炭化水素基をいい、例えば、ノルボルナン、ビシクロ［２，２，２］オクタン、アダマンタン等が挙げられる。有橋脂環式炭化水素基の中でも、ノルボルナンが好ましい。また、芳香族基としては、例えば、ベンゼン環、ナフタレン環を含む基が挙げられ、中でも、ベンゼン環を含む基が好ましい。
原料入手の容易さの観点からＡは２価が好ましい。例えば、Ａが２価の有機基の場合、炭素数１〜２０の直鎖、分岐、又は環状のアルキレン基や、キシリレン基等の炭素数１〜２０のアルキレン基を２個置換した芳香族基等が挙げられる。
【００６８】
Ｒ１〜Ｒ５におけるアルキル基は、特に限定されない。例えば、炭素数１〜２０の直鎖又は分岐のアルキル基等が挙げられ、中でも、炭素数が１〜８の直鎖又は分岐のアルキル基であることが好ましく、炭素数が１〜５の直鎖又は分岐のアルキル基であることが、製造及び原料調達の容易さの点から、より好ましい。中でも、Ｒ１〜Ｒ５におけるアルキル基がエチル基又はメチル基であることが特に好ましい。アルキル基が有してもよい置換基としては、特に限定されないが、例えば、アリール基、ハロゲン原子、水酸基等が挙げられ、置換されたアルキル基としては、ベンジル基等が挙げられる。
Ｒ１〜Ｒ５におけるアリール基は、特に限定されない。例えば、フェニル基、ナフチル基等が挙げられる。アリール基が有してもよい置換基としては、例えばアルキル基、ハロゲン原子等が挙げられる。
【００６９】
Ｒ２とＲ３、Ｒ４とＲ５が結合して環構造を形成しているとは、Ｒ２とＲ３、Ｒ４とＲ５が窒素原子を介して環構造を形成していることをいう。環構造は特に限定されないが、例えばピロリジン環、ピペリジン環、モルホリン環等が挙げられる。
【００７０】
中でも化学的安定性の点からＲ１〜Ｒ５としては、各々独立に、水素原子、炭素数１〜５のアルキル基、フェニル基、又は、Ｒ２とＲ３、Ｒ４とＲ５が結合してピロリジン環、ピペリジン環、モルホリン環を形成していることが好ましい。
【００７１】
Ｒ１〜Ｒ５はそれぞれ独立に上記構造をとることができるが、中でも、色純度の点からＲ１が水素原子であることが好ましく、さらに製造および原料調達の容易さの点からＲ２〜Ｒ５がすべて同一であることがより好ましい。
【００７２】
Ａｒ１における２価の芳香族基は特に限定されない。芳香族基は、炭素環からなる芳香族炭化水素基の他、複素環基であってもよい。芳香族炭化水素基における芳香族炭化水素としては、ベンゼン環の他、ナフタレン環、テトラリン環、インデン環、フルオレン環、アントラセン環、フェナントレン環等の縮合多環芳香族炭化水素；ビフェニル、ターフェニル、ジフェニルメタン、トリフェニルメタン、スチルベン等の鎖状多環式炭化水素が挙げられる。当該鎖状多環式炭化水素においては、ジフェニルエーテル等のように鎖状骨格中にＯ、Ｓ、Ｎを有していてもよい。一方、複素環基における複素環としては、フラン、チオフェン、ピロール、オキサゾール、チアゾール、イミダゾール、ピラゾール等の５員複素環；ピラン、ピロン、ピリジン、ピリダジン、ピリミジン、ピラジン等の６員複素環；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環が挙げられる。これらの芳香族基は置換基を有していてもよい。
【００７３】
芳香族基が有していてもよい置換基としては、炭素数１〜５のアルキル基、ハロゲン原子等が挙げられる。
【００７４】
Ａｒ１は炭素数が６〜２０の芳香族基であることが好ましく、炭素数が１０〜１４の縮合多環式炭素環からなる芳香族基がより好ましい。中でも、構造が単純で原料が安価である点からフェニレン基やナフチレン基であることがより好ましい。
【００７５】
１分子内に複数あるＲ１〜Ｒ５及びＡｒ１は、同一であっても異なっていてもよい。複数あるＲ１〜Ｒ５及びＡｒ１がそれぞれ同一である場合には、発色部位が同一の発色を示すため、発色部位の単体と同様の色が再現でき、色純度の点から好ましい。一方、Ｒ１〜Ｒ５及びＡｒ１のうち少なくとも１つを異なる置換基とした場合には、複数種の単量体を混合した色を再現することができ、所望の色に調整することができる。
【００７６】
（ｉｉ）アニオン部
本発明に係る色材において、アニオン部は、（Ｂ−）で表される構造を有する１価のアニオンである。上記色材は１価のアニオンを有することにより、アルコール系溶媒やケトン系溶媒への溶解度が高く、高濃度の色材溶液を調製することも可能であり、種々の基材の染着に用いることができる。
Ｂ−は１価のアニオンであれば、特に限定されず、有機アニオンであっても無機アニオンであってもよい。ここで有機アニオンとは、炭素原子を少なくとも１つ含有するアニオンを表す。また、無機アニオンとは、炭素原子を含有しないアニオンを表し、例えば、フッ化物イオン、塩化物イオン、臭化物イオン、ヨウ化物イオンのようなハロゲン化物イオンや、硝酸イオン（ＮＯ−）、過塩素酸イオン（ＣｌＯ４−）等が挙げられる。
【００７７】
Ｂ−が有機アニオンである場合、その構造は特に限定されない。中でも、アニオン性置換基を有する有機基であることが好ましい。
アニオン性置換基としては、例えば、−ＳＯ２Ｎ−ＳＯ２ＣＨ３、−ＳＯ２Ｎ−ＣＯＣＨ３、−ＳＯ２Ｎ−ＳＯ２ＣＦ３、−ＳＯ２Ｎ−ＣＯＣＦ３、−ＣＦ２ＳＯ２Ｎ−ＳＯ２ＣＨ３、−ＣＦ２ＳＯ２Ｎ−ＣＯＣＨ３、−ＣＦ２ＳＯ２Ｎ−ＳＯ２ＣＦ３、−ＣＦ２ＳＯ２Ｎ−ＣＯＣＦ３等のイミド酸基や、−ＳＯ３−、−ＣＦ２ＳＯ３−、−ＣＯＯ−、−ＣＦ２ＣＯＯ−等の置換基が挙げられる。
中でも、原材料入手の容易さや製造コスト、高い酸性度によりカチオンを安定化し発色状態を維持する効果が高い点から、イミド酸基や、−ＳＯ３−、−ＣＦ２ＳＯ３−が好ましく、更に、−ＳＯ３−（スルホナト基）であることが好ましい。
【００７８】
アニオン性置換基が置換される有機基としては、特に限定されない。当該有機基としては、直鎖、分岐、又は環状の飽和又は不飽和炭化水素基、単環又は多環芳香族基及びこれらが組み合わされた基が挙げられ、これらは炭素鎖中に、Ｏ、Ｓ、Ｎ等の異種原子が含まれていてもよく、カルボニル基、カルボキシ基、オキシカルボニル基、アミド基が含まれていてもよく、水素原子が置換されていてもよい。有機基が有していてもよい置換基としては、例えば、ハロゲン原子等が挙げられる。
上記アニオン性置換基が置換される有機基としては、例えば、シクロプロパン、シクロブタン、シクロペンタン、シクロヘキサン、ノルボルナン、ビシクロ［２，２，２］ヘキサン、ビシクロ［３，２，３］オクタン、アダマンタン等の炭化水素；ベンゼン、ナフタレン、アントラセン、フェナントレン、ピレン、トリフェニレン、フルオレン、フラン、チオフェン、ピロール、イミダゾール、ピラン、ピリジン、ピリミジン、ピラジン、トリアジン、インドール、プリン、キノリン、イソキノリン、キサンテン、カルバゾール等の芳香族化合物が挙げられ、更にハロゲン原子、アルキル基等の置換基を有していてもよい。
アニオン性置換基が置換される有機基としては、中でも、アニオン性置換基の導入が容易な点から、単環又は多環芳香族炭化水素基及びこれらが組み合わされた基であることが好ましい。
【００７９】
アニオンにより色変化しないことを目的とする場合には、４００ｎｍ以下の波長領域に吸収極大をもつ有機基を用いることが好ましい。４００ｎｍ以下の波長領域に吸収極大をもつ有機基としては、例えば、ナフタレン、テトラリン、インデン、フルオレン、アントラセン、フェナントレン等の縮合多環式炭素環からなる有機基；ビフェニル、ターフェニル、ジフェニルメタン、トリフェニルメタン、スチルベン等の鎖状多環式炭化水素からななる有機基；フラン、チオフェン、ピロール、オキサゾール、チアゾール、イミダゾール、ピラゾール等の５員複素環からなる有機基、ピラン、ピロン、ピリジン、ピリダジン、ピリミジン、ピラジン等の６員複素環からなる芳香族化合物；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環からなる有機基等が挙げられる。
【００８０】
また、アニオン性置換基が置換される有機基としては、有機化合物又は有機金属化合物である、アゾ染料、アントラキノン染料、トリフェニルメタン染料、キサンテン染料及びフタロシアニン染料、インジゴ染料に由来する骨格を用いてもよい。或いは、従来公知の酸性染料、直接染料、酸性媒染染料を用いてもよい。
染料由来の骨格や酸性染料、直接染料、酸性媒染染料等を用いた場合には、得られる色材の色調が変化し、上記一般式（Ｉ）で表される色材の色調を所望のものに調整することができる。
【００８１】
染料由来の骨格を有するアニオンの中でも、下記一般式（ＶＩ）で表されるアニオンが、耐熱性を向上する点から好ましい。
上記色材のアニオン部として、一般式（ＶＩ）のアニオンを用いた場合には、上記カチオン部との組み合わせにより、色材を所望の色に調整することができる。
【００８２】
【化６】
2016167041.tif 000008
【００８３】
（一般式（ＶＩ）中、Ｍは２個の水素原子、若しくは、Ｃｕ、Ｍｇ、Ａｌ、Ｎｉ、Ｃｏ、Ｆｅ、又はＺｎを表す。スルホナト基（−ＳＯ３−基）は、芳香環に置換している。）
【００８４】
また、本発明に係る色材において、上記有機アニオンが、下記一般式（ＶＩＩ）で表されるアニオンであることが、耐熱性を向上する点から好ましい。
【００８５】
【化７】
2016167041.tif 000009
【００８６】
（一般式（ＶＩＩ）中、Ａｒ２は置換基を有していてもよい１価の芳香族基である。）
【００８７】
上記色材のアニオン部として、上記一般式（ＶＩＩ）のアニオンを用いた場合には、アニオンが無色ないし薄い黄色であるため、生じた色材が一般式（Ｉ）で表されるカチオンがもつ固有の色を保持しやすいという特徴を有する。
【００８８】
Ａｒ２における芳香族基は特に限定されない。芳香族基には、炭素環からなる芳香族炭化水素基の他、複素環であってもよい。芳香族炭化水素基としては、ベンゼン環の他、ナフタレン環、テトラリン環、インデン環、フルオレン環、アントラセン環、フェナントレン環等の縮合多環芳香族炭化水素基；ビフェニル、ターフェニル、ジフェニルメタン、トリフェニルメタン、スチルベン等の鎖状多環式炭化水素基が挙げられる。当該鎖状多環式炭化水素基においては、ジフェニルエーテル等のように鎖状骨格中にＯ、Ｓ等のヘテロ原子を有していてもよい。一方、複素環としては、フラン、チオフェン、ピロール、オキサゾール、チアゾール、イミダゾール、ピラゾール等の５員複素環；ピラン、ピロン、ピリジン、ピリダジン、ピリミジン、ピラジン等の６員複素環；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環が挙げられる。これらの芳香族基は置換基を有していてもよい。
【００８９】
芳香族基が有する置換基としては、炭素数１〜５のアルキル基、ハロゲン原子等が挙げられる。
【００９０】
Ａｒ２は炭素数が６〜２０の芳香族基であることが好ましく、炭素数が１０〜１４の縮合多環式炭素環からなる芳香族基がより好ましい。中でも、構造が単純で原料が安価である点からフェニレン基やナフタレン基であることがより好ましい。
【００９１】
上記色材において、複数あるアニオン（Ｂ−）は、同一であっても異なっていてもよく、有機アニオンと無機アニオンとを組み合わせて用いることもできる。
【００９２】
上記色材の平均粒径としては、青色着色層を形成することができれば特に限定されないが、１０ｎｍ〜３００ｎｍの範囲内、中でも２０ｎｍ〜２００ｎｍの範囲内、特に３０ｎｍ〜１００ｎｍの範囲内であることが好ましい。
上記色材の平均粒径が小さいと、凝集し易くなり、青色着色層中に均一に分散させることが困難となる可能性があるからである。また、色材の平均粒径が大きすぎると所望の輝度を有する青色着色層を形成することが困難となる可能性があるからである。
上記色材の平均粒径は、少なくとも溶媒を含有する分散媒体中に分散している色材粒子の平均分散粒径であって、レーザー光散乱粒度分布計により測定されるものである。レーザー光散乱粒度分布計による粒径の測定としては、上記色材を分散させた青色分散液を調製し、青色分散液をレーザー光散乱粒度分布計で測定可能な濃度に適宜希釈（例えば、１０００倍など）し、レーザー光散乱粒度分布計（例えば、濃厚系粒径アナライザー FPAR-1000）を用いて動的光散乱法により２３℃にて測定することができる。ここでの平均分散粒径は、体積平均粒径である。青色分散液としては、例えば、色材５重量部に対して、ポリスルホン酸型高分子分散剤３重量部、酢酸−３−メトキシブチル８０重量部を用いることにより調製することができる。
【００９３】
青色着色層中の上記色材の含有量としては、本発明の高演色液晶表示装置の用途等に応じて適宜選択することができ、特に限定されないが、５質量％〜５０質量％の範囲内、中でも１０質量％〜４０質量％の範囲内、特に１５質量％〜３５質量％の範囲内であることが好ましい。
上記色材の含有量が少ないと、本発明の高演色液晶表示装置の表示品位が低下する可能性があるからであり、上記色材の含有量が多いと、青色着色層自体を形成することが困難となる可能性があるからである。
【００９４】
上記色材の形成方法については、特許５２２３９８０号公報、および特許５４０３１７５号公報に記載されているカチオン部の塩化物の形成方法を用いることができる。
【００９５】
なお、本発明においては、青色着色層の色調を調整するため、必要に応じて他の色材を添加してもよい。このような色材としては例えば紫色色材等を挙げることができる。また、紫色色材を添加する場合は、通常、青色着色層中の上記色材および他の色材の含有量が上述した数値範囲内となるように調整される。
【００９６】
（ｂ）一般式（ＩＩ）で表わされる色材
次に、一般式（ＩＩ）で表わされる色材について説明する。
本発明においては、一般式（ＩＩ）の色材を用いることにより、カラーフィルタの着色層を高コントラストで、かつ、耐溶剤性及び電気信頼性に優れたものとすることができる。
【００９７】
本発明において用いられる上記一般式（ＩＩ）で表される色材は、図５のように、２価以上の対アニオン２０２と共に、カチオン性の発色部位がＡによる連結２０３を介して２個以上結合した、２価以上の対カチオン２０１を有している。例えば、アニオンとカチオンとが共に２価のイオンである場合、色材の凝集体において、アニオンとカチオンとが単に１分子対１分子でイオン結合しているのではなく、図５のように複数の分子が連続したイオン結合を介して会合する、分子会合体２１０を形成するものと推定される。当該分子会合体２１０は、色材の凝集体中で１つの分子のように振る舞うため、見かけの分子量は、従来の造塩化合物の分子量に比べて格段に増大する。また、分子会合体２１０の形成により、固体状態での凝集力がより高まり、熱による運動を低下させ、更に電気的にも安定するため、イオン対の解離やカチオン部の分解を抑制できると推定される。その結果、一般式（ＩＩ）で表される色材の耐溶剤性が向上し、当該色材を用いた着色層の耐溶剤性及び電気信頼性が向上するものと推定される。また、複数の分子がイオン結合を介して会合した分子会合体からなる微粒子はイオン対の運動性が低下しているため、微粒子間での再凝集によるコントラストの低下を抑制することができる。
なお、上記一般式（ＩＩ）で表される色材は、カチオン性の発色部位に直接結合する連結基Ａの炭化水素がπ結合を有していないため、カチオン性の発色部位が有する色調や透過率等の色特性は、連結基Ａの導入前後でほとんど変化しない。
また、電気信頼性は、図２に示すような液晶セル部１０を作成したときの電圧保持率により評価することができ、電気信頼性が高いとは該電圧保持率が高いことをいう。電気信頼性が低い場合には、液晶層に所定の電圧が印加されなくなり、液晶セルのコントラストが低下する等の問題を生ずる。
【００９８】
一般式（ＩＩ）で表わされる色材は、アニオン部およびカチオン部を有するものである。
以下、上記色材のアニオン部およびカチオン部について説明する。
【００９９】
（ｉ）カチオン部
カチオン部については、上述した一般式（Ｉ）で説明した内容と同様であるため、ここでの説明は省略する。なお、一般式（ＩＩ）におけるｅは一般式（Ｉ）のｂに相当する。
【０１００】
（ｉｉ）アニオン部
アニオン部は、（Ｂｃ−）で表される構造を有する、２価以上のアニオンである。Ｂｃ−は２価以上のアニオンであれば、特に限定されず、有機アニオンであっても無機アニオンであってもよい。ここで有機アニオンとは、炭素原子を少なくとも１つ含有するアニオンを表す。また、無機アニオンとは、炭素原子を含有しないアニオンを表す。
【０１０１】
Ｂｃ−が有機アニオンである場合、その構造は特に限定されない。中でも、アニオン性置換基を有する有機基であることが好ましい。
アニオン性置換基としては、例えば、−ＳＯ２Ｎ−ＳＯ２ＣＨ３、−ＳＯ２Ｎ−ＣＯＣＨ３、−ＳＯ２Ｎ−ＳＯ２ＣＦ３、−ＳＯ２Ｎ−ＣＯＣＦ３、−ＣＦ２ＳＯ２Ｎ−ＳＯ２ＣＨ３、−ＣＦ２ＳＯ２Ｎ−ＣＯＣＨ３、−ＣＦ２ＳＯ２Ｎ−ＳＯ２ＣＦ３、−ＣＦ２ＳＯ２Ｎ−ＣＯＣＦ３等のイミド酸基や、−ＳＯ３−、−ＣＦ２ＳＯ３−、−ＰＯ３２−、−ＣＯＯ−、−ＣＦ２ＰＯ３２−、−ＣＦ２ＣＯＯ−等の置換基が挙げられる。
中でも、カチオンを安定化し、色材の発色を安定させる点から、１価のアニオン性置換基を２つ以上用いることが好ましい。また、原材料入手の容易さや製造コスト、高い酸性度によりカチオンを安定化し発色状態を維持する効果が高い点から、イミド酸基や、−ＳＯ３−、−ＣＦ２ＳＯ３−が好ましく、更に、−ＳＯ３−（スルホナト基）であることがより好ましい。
アニオン性置換基を複数置換する場合は、同一の置換基であってもよく、異なる置換基を用いてもよい。
【０１０２】
アニオン性置換基が置換される有機基としては、特に限定されない。当該有機基としては、直鎖、分岐、又は環状の飽和又は不飽和炭化水素基、単環又は多環芳香族基及びこれらが組み合わされた基が挙げられ、これらは炭素鎖中に、Ｏ、Ｓ、Ｎ等の異種原子が含まれていてもよく、カルボニル基、カルボキシ基、オキシカルボニル基、アミド基が含まれていてもよく、水素原子が置換されていてもよい。有機基が有していてもよい置換基としては、例えば、ハロゲン原子等が挙げられる。
上記アニオン性置換基が置換される有機基としては、例えば、シクロプロパン、シクロブタン、シクロペンタン、シクロヘキサン、ノルボルナン、［２，２，２］ビシクロヘキサン、［３，２，３］ビシクロオクタン、アダマンタン等の炭化水素；ベンゼン、ナフタレン、アントラセン、フェナントレン、ピレン、トリフェニレン、フルオレン、フラン、チオフェン、ピロール、イミダゾール、ピラン、ピリジン、ピリミジン、ピラジン、トリアジン、インドール、プリン、キノリン、イソキノリン、キサンテン、カルバゾール等の芳香族化合物が挙げられ、更にハロゲン原子、アルキル基等の置換基を有していてもよい。
アニオン性置換基が置換される有機基としては、中でも、アニオン性置換基の導入が容易な点から、単環又は多環芳香族炭化水素基及びこれらが組み合わされた基であることが好ましい。
アニオンにより色変化しないことを目的とする場合には、４００ｎｍ以下の波長領域に吸収極大をもつ有機基を用いることが好ましい。４００ｎｍ以下の波長領域に吸収極大をもつ有機基としては、例えば、ナフタレン、テトラリン、インデン、フルオレン、アントラセン、フェナントレン等の縮合多環式炭素環からなる有機基；ビフェニル、ターフェニル、ジフェニルメタン、トリフェニルメタン、スチルベン等の鎖状多環式炭化水素からななる有機基；フラン、チオフェン、ピロール、オキサゾール、チアゾール、イミダゾール、ピラゾール等の５員複素環からなる有機基、ピラン、ピロン、ピリジン、ピリダジン、ピリミジン、ピラジン等の６員複素環からなる芳香族化合物；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環からなる有機基等が挙げられる。
【０１０３】
また、アニオン性置換基が置換される有機基としては、有機化合物又は有機金属化合物である、アゾ染料、アントラキノン染料、トリフェニルメタン染料、キサンテン染料、フタロシアニン染料、インジゴ染料等に由来する骨格を用いてもよい。或いは、従来公知の酸性染料、直接染料、酸性媒染染料等を用いてもよい。
染料由来の骨格や酸性染料、直接染料、酸性媒染染料等を用いた場合には、得られる色材の色調が変化し、上記化学式（ＩＩ）で表される色材の色調を所望のものに調整することができる。
【０１０４】
酸性染料としては、例えば、Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１、Ｃ．Ｉ．アシッドレッド１、４、８、１４、１７、１８、２６、２７、２９、３１、３４、３５、３７、４２、４４、５０、５１、５２、５７、６６、７３、８０、８７、８８、９１、９２、９４、９７、１０３、１１１、１１４、１２９、１３３、１３４、１３８、１４３、１４５、１５０、１５１、１５８、１７６、１８２、１８３、１９８、２０６、２１１、２１５、２１６、２１７、２２７、２２８、２４９、２５２、２５７、２５８、２６０、２６１、２６６、２６８、２７０、２７４、２７７、２８０、２８１、１９５、３０８、３１２、３１５、３１６、３３９、３４１、３４５、３４６、３４９、３８２、３８３、３９４、４０１、４１２、４１７、４１８、４２２、４２６、Ｃ．Ｉ．アシッドオレンジ６、７、８、１０、１２、２６、５０、５１、５２、５６、６２、６３、６４、７４、７５、９４、９５、１０７、１０８、１６９、１７３、Ｃ．Ｉ．アシッドブルー１、７、９、１５、１８、２３、２５、２７、２９、４０、４２、４５、５１、６２、７０、７４、８０、８３、８６、８７、９０、９２、９６、１０３、１１２、１１３、１２０、１２９、１３８、１４７、１５０、１５８、１７１、１８２、１９２、２１０、２４２、２４３、２５６、２５９、２６７、２７８、２８０、２８５、２９０、２９６、３１５、３２４：１、３３５、３４０、Ｃ．Ｉ．アシッドバイオレット６Ｂ、７、９、１７、１９、Ｃ．Ｉ．アシッドグリーン１、３、５、９、１６、２５、２７、５０、５８、６３、６５、８０、１０４、１０５、１０６、１０９等が挙げられる。
【０１０５】
直接染料としては、例えば、Ｃ．Ｉ．ダイレクトイエロー２、３３、３４、３５、３８、３９、４３、４７、５０、５４、５８、６８、６９、７０、７１、８６、９３、９４、９５、９８、１０２、１０８、１０９、１２９、１３６、１３８、１４１、Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０、Ｃ．Ｉ．ダイレクトオレンジ３４、３９、４１、４６、５０、５２、５６、５７、６１、６４、６５、６８、７０、９６、９７、１０６、１０７、Ｃ．Ｉ．ダイレクトブルー５７、７７、８０、８１、８４、８５、８６、９０、９３、９４、９５、９７、９８、９９、１００、１０１、１０６、１０７、１０８、１０９、１１３、１１４、１１５、１１７、１１９、１３７、１４９、１５０、１５３、１５５、１５６、１５８、１５９、１６０、１６１、１６２、１６３、１６４、１６６、１６７、１７０、１７１、１７２、１７３、１８８、１８９、１９０、１９２、１９３、１９４、１９６、１９８、１９９、２００、２０７、２０９、２１０、２１２、２１３、２１４、２２２、２２８、２２９、２３７、２３８、２４２、２４３、２４４、２４５、２４７、２４８、２５０、２５１、２５２、２５６、２５７、２５９、２６０、２６８、２７４、２７５、２９３、Ｃ．Ｉ．ダイレクトバイオレット４７、５２、５４、５９、６０、６５、６６、７９、８０、８１、８２、８４、８９、９０、９３、９５、９６、１０３、１０４、Ｃ．Ｉ．ダイレクトグリーン２５、２７、３１、３２、３４、３７、６３、６５、６６、６７、６８、６９、７２、７７、７９、８２等が挙げられる。
【０１０６】
酸性媒染染料としては、例えば、Ｃ．Ｉ．モーダントイエロー５、８、１０、１６、２０、２６、３０、３１、３３、４２、４３、４５、５６、６１、６２、６５、Ｃ．Ｉ．モーダントレッド１、２、３、４、９、１１、１２、１４、１７、１８、１９、２２、２３、２４、２５、２６、３０、３２、３３、３６、３７、３８、３９、４１、４３、４５、４６、４８、５３、５６、６３、７１、７４、８５、８６、８８、９０、９４、９５、Ｃ．Ｉ．モーダントオレンジ３、４、５、８、１２、１３、１４、２０、２１、２３、２４、２８、２９、３２、３４、３５、３６、３７、４２、４３、４７、４８、Ｃ．Ｉ．モーダントブルー１、２、３、７、８、９、１２、１３、１５、１６、１９、２０、２１、２２、２３、２４、２６、３０、３１、３２、３９、４０、４１、４３、４４、４８、４９、５３、６１、７４、７７、８３、８４、Ｃ．Ｉ．モーダントバイオレット１、２、４、５、７、１４、２２、２４、３０、３１、３２、３７、４０、４１、４４、４５、４７、４８、５３、５８、Ｃ．Ｉ．モーダントグリーン１、３、４、５、１０、１５、１９、２６、２９、３３、３４、３５、４１、４３、５３等が挙げられる。
【０１０７】
上記染料のうち、染料自体が２価以上のアニオンである場合には、当該染料をそのまま、本発明における色材におけるアニオン部として使用することができる。染料自体が２価以上のアニオンでない場合には、適宜２価以上のアニオンとなるように、アニオン性置換基を導入する。
【０１０８】
上記有機アニオンは、中でも、下記一般式（ＶＩＩＩ）、下記一般式（ＩＸ）、及び下記一般式（Ｘ）で表されるアニオンよりなる群から選択される１種以上であることが、耐溶剤性及び電気信頼性を向上する点から好ましい。
【０１０９】
【化８】
2016167041.tif 000010
【０１１０】
（一般式（ＶＩＩＩ）中、Ａｒ２は置換基を有していてもよいｃ価の芳香族基である。ｃは２以上の整数を表す。）
【０１１１】
【化９】
2016167041.tif 000011
【０１１２】
（一般式（ＩＸ）中、Ｒ６は水素原子、又はメチル基であり、Ａｒ３は置換基を有していてもよい芳香族基である。Ｑは直接結合又は２価の連結基を表す。ｆは１以上の整数、ｇは２以上の整数を表す。）
【０１１３】
【化１０】
2016167041.tif 000012
【０１１４】
（一般式（Ｘ）中、Ｍは２個の水素原子、若しくは、Ｃｕ、Ｍｇ、Ａｌ、Ｎｉ、Ｃｏ、Ｆｅ、又はＺｎを表す。スルホナト基（−ＳＯ３−基）は、芳香環に置換しており、ｃは２〜４の整数を表す。）
【０１１５】
色材のアニオン部として、上記一般式（ＶＩＩＩ）のアニオンを用いた場合には、アニオンが無色ないし薄い黄色であるため、生じた色材が一般式（ＩＩ）で表されるカチオンがもつ固有の色を保持しやすいという特徴を有する。
色材のアニオン部として、上記一般式（ＩＸ）のアニオンを用いた場合には、アニオン価数が多くなるため、より多くの一般式（ＩＩ）で示されるカチオンと相互作用し得る。その結果、より凝集性が高く溶剤への不溶性が高まるという特徴を有する。
色材のアニオン部として、上記一般式（Ｘ）のアニオンを用いた場合には、上記カチオン部との組み合わせにより、色材を所望の色に調整することができる。
【０１１６】
一般式（ＶＩＩＩ）および一般式（Ｘ）において、Ａｒ２及びＡｒ３における芳香族基は特に限定されない。芳香族基には、炭素環からなる芳香族炭化水素基の他、複素環であってもよい。芳香族炭化水素基としては、ベンゼン環の他、ナフタレン環、テトラリン環、インデン環、フルオレン環、アントラセン環、フェナントレン環等の縮合多環芳香族炭化水素基；ビフェニル、ターフェニル、ジフェニルメタン、トリフェニルメタン、スチルベン等の鎖状多環式炭化水素基が挙げられる。当該鎖状多環式炭化水素基においては、ジフェニルエーテル等のように鎖状骨格中にＯ、Ｓ等のヘテロ原子を有していてもよい。一方、複素環としては、フラン、チオフェン、ピロール、オキサゾール、チアゾール、イミダゾール、ピラゾール等の５員複素環；ピラン、ピロン、ピリジン、ピリダジン、ピリミジン、ピラジン等の６員複素環；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環が挙げられる。これらの芳香族基は置換基を有していてもよい。
【０１１７】
芳香族基が有する置換基としては、炭素数１〜５のアルキル基、ハロゲン原子等が挙げられる。
【０１１８】
一般式（ＶＩＩＩ）および一般式（Ｘ）において、Ａｒ２及びＡｒ３は炭素数が６〜２０の芳香族基であることが好ましく、炭素数が１０〜１４の縮合多環式炭素環からなる芳香族基がより好ましい。中でも、構造が単純で原料が安価である点からフェニレン基やナフタレン基であることがより好ましい。
【０１１９】
一般式（ＩＸ）において、Ｑは直接結合、又は２価の連結基を表す。２価の連結基としては、例えば、炭素数１〜１０のアルキレン基、アリーレン基、−ＣＯＮＨ−基、−ＣＯＯ−基、炭素数１〜１０のエーテル基（−Ｒ’−ＯＲ”−：Ｒ’及びＲ”は、各々独立にアルキレン基）及びこれらの組み合わせ等が挙げられる。中でも、Ｑは直接結合、又は−ＣＯＯ−基であることが好ましい。
【０１２０】
一般式（ＩＸ）において、ｆは１以上の整数であれば、特に限定されない。原料入手の容易さの点からは、ｆが１であることがより好ましい。
また、ｇは２以上の整数である。中でも、耐熱性の点から、ｇは５０以上であることが好ましく、８０以上であることがより好ましい。一方、溶解性の点から、ｇが３０００以下であることが好ましく、２０００以下であることがより好ましい。一般式（ＩＸ）の重量平均分子量としては１００００〜１０００００であることが好ましい。ここで、重量平均分子量とは、ＧＰＣ（ゲルパーミエーションクロマトグラフィー）により測定される標準ポリスチレン換算で求めたものである。測定は、東ソー（株）製のＨＬＣ−８１２０ＧＰＣを用い、溶出溶媒を０．０１モル／リットルの臭化リチウムを添加したＮ−メチルピロリドンとし、校正曲線用ポリスチレンスタンダードをＭｗ３７７４００、２１０５００、９６０００、５０４００、２０６５００、１０８５０、５４６０、２９３０、１３００、５８０（以上、Ｐｏｌｙｍｅｒ Ｌａｂｏｒａｔｏｒｉｅｓ社製 Ｅａｓｉ ＰＳ−２シリーズ）及びＭｗ１０９００００（東ソー（株）製）とし、測定カラムをＴＳＫ−ＧＥＬ ＡＬＰＨＡ−Ｍ×２本（東ソー（株）製）として行われたものである。
【０１２１】
一般式（ＩＸ）において、複数ある構成単位は、全て同一のものであってもよく、２種以上のものが含まれていてもよい。なお、一般式（ＩＸ）において、複数あるｆの総和が一般式（ＩＩ）におけるｃに相当する。
【０１２２】
一方、Ｂｃ−が無機アニオンである場合、無機のオキソ酸およびその脱水縮合物である限り、その構造や組成は特に限定されない。無機アニオンとしては、例えば、２価以上のオキソ酸のアニオン（リン酸イオン、硫酸イオン、クロム酸イオン、タングステン酸イオン（ＷＯ４２−）、モリブデン酸イオン（ＭｏＯ４２−）等）や、複数のオキソ酸が縮合したポリ酸イオン等の無機アニオンやその混合物を挙げることができる。
上記ポリ酸としては、イソポリ酸イオン（ＭｍＯｎ）ｃ−であってもヘテロポリ酸イオン（ＸｌＭｍＯｎ）ｃ−であってもよい。上記イオン式中、Ｍはポリ原子、Ｘはヘテロ原子、ｍはポリ原子の組成比、ｎは酸素原子の組成比を表す。ポリ原子Ｍとしては、例えば、Ｍｏ、Ｗ、Ｖ、Ｔｉ、Ｎｂ等が挙げられる。またヘテロ原子Ｘとしては、例えば、Ｓｉ、Ｐ、Ａｓ、Ｓ、Ｆｅ、Ｃｏ等が挙げられる。
中でも、耐熱性の点から、モリブデン（Ｍｏ）およびタングステン（Ｗ）の少なくともいずれかを含む無機酸のアニオンであることが好ましい。
【０１２３】
また、本発明においては、モリブデン（Ｍｏ）およびタングステン（Ｗ）の少なくともいずれかを含むポリ酸アニオンであることが好ましく、さらに好適な態様として、２つの実施態様が挙げられる。
第１実施態様の色材のアニオン部（Ｂｃ−）は、モリブデン及びタングステンを含み、モリブデンとタングステンとのモル比が０．４：９９．６〜１５：８５で表されるｃ価のポリ酸アニオンである。また、第２実施態様の色材のアニオン部（Ｂｃ−）は、少なくともタングステンを含み、モリブデンのタングステンに対するモル比が０．４／９９．６未満のｃ価のポリ酸アニオンである。
なお、本発明においてモリブデンとタングステンとのモル比とは、一般式（ＩＩ）で表される色材全体におけるモリブデン原子とタングステン原子のモル比を表すものであり、モリブデンのタングステンに対するモル比とは、一般式（ＩＩ）で表される色材全体におけるモリブデン原子のタングステン原子に対するモル比の値を表すものである。
【０１２４】
上記特定の組み合わせにより、上記のような効果を発揮する作用としては、未解明であるが以下のように推定される。
カチオン性色材は一般に、光により酸化し、退色することが知られている。一方、タングステンやモリブデンを含むポリ酸は光還元性があり、その光還元反応が可逆的であることが知られている。このようなポリ酸をアニオンとして用いることにより、光によるカチオンの酸化反応を抑制し、耐光性が向上するものと推定される。そのメカニズムは未解明であるが、電子状態の違う、タングステンを含むポリ酸アニオンと、モリブデンを含むポリ酸アニオンを特定の割合で含有することにより、上記酸化反応を抑制する能力に優れるものと推定される。
【０１２５】
上記第１実施態様の色材は、対アニオンとしてモリブデン及びタングステンを含み、モリブデンとタングステンとのモル比が０．４：９９．６〜１５：８５で表される２価以上のポリ酸アニオンを用いる。モリブデンを含むポリ酸アニオンを少量混合することにより、タングステンを含むポリ酸アニオンのみを用いた場合に比べて耐光性を向上し、耐熱性をも向上し得る。カチオンがタングステンを含むポリ酸アニオンとイオン対を形成すると、特に耐熱性が向上するものと推定される。しかしながらタングステンを含むポリ酸アニオンはイオン径が大きいため、カチオンとの間で隙間を生じるものと推定される。一方、モリブデンを含むポリ酸アニオンは、タングステンを含むポリ酸アニオンよりイオン径が小さいものと推定される。本発明において用いられる色材は、更にイオン径の小さいモリブデンを含むポリ酸アニオンを少量含むことにより、カチオンとタングステンを含むポリ酸アニオンとがイオン対を形成した際に生じる隙間に、モリブデンを含むポリ酸アニオンが入り込むものと推定される。これにより色材の耐熱性及び耐光性が向上するものと推定される。また、モリブデンとタングステンとの両方を含むヘテロポリ酸を用いた場合には、当該ヘテロポリ酸自体がイオン径に分布があるものと推定され、イオン径の小さいヘテロポリ酸が、カチオンとの間の隙き間に入り込み、色材の耐熱性及び耐光性が向上するものと推定される。
【０１２６】
一方、第２実施態様の色材は、対アニオンとして、少なくともタングステンを含み、モリブデンの上記タングステンに対するモル比が０．４／９９．６未満である２価以上のポリ酸アニオンを用いる。前述の通り、カチオンがタングステンを含むポリ酸アニオンとイオン対を形成すると、特に耐熱性が向上し、上記第１実施態様の色材と同等の耐熱性を有する。カラーフィルタ用途においては、特に高輝度な着色層が求められている。特許５４０３１７５号公報においてはこのような観点から耐熱性についてはより詳細な検討が行われている。その結果、モリブデンの上記タングステンに対するモル比が０．４／９９．６未満と、ポリ酸アニオンにおけるモリブデンの含有割合が低い範囲か、若しくはポリ酸アニオン中にモリブデンを含まずタングステンのみを含有する場合、上記第１実施態様の色材と比較して露光後の輝度が高輝度であるとともに、高温加熱後における着色層の輝度の低下が、上記第１実施態様の色材と比較しても、より抑制されることが明らかとなった。このような効果を発揮する作用は未解明であるが、このような第２実施態様の色材を用いて形成された着色層はより高輝度化を達成できる。
【０１２７】
これらの結果、一般式（ＩＩ）で表される色材は耐熱性及び耐光性に特に優れたものとなり、染料と同様の高輝度化を達成しながら、耐熱性及び耐光性に優れた青色着色層を形成可能な色材が得られると推定される。
【０１２８】
上記ポリ酸アニオンとしては、イソポリ酸イオン（ＭｍＯｎ）ｃ−であってもヘテロポリ酸イオン（ＸｌＭｍＯｎ）ｃ−であってもよい。上記イオン式中、Ｍはポリ原子、Ｘはヘテロ原子、ｍはポリ原子の組成比、ｎは酸素原子の組成比を表す。ポリ原子Ｍは、Ｍｏ（モリブデン）又はＷ（タングステン）のいずれか１つを必ず含む。ポリ原子Ｍは２種以上含まれていてもよい。ポリ原子ＭはＭｏおよびＷの少なくともいずれかであることが好ましい。ヘテロ原子Ｘとしては、例えば、Ｓｉ、Ｐ、Ａｓ、Ｓ、Ｆｅ、Ｃｏ等が挙げられる。また、一部にＮａ＋やＨ＋等の対カチオンが含まれていてもよい。
【０１２９】
モリブデンおよびタングステンの少なくともいずれかを含むポリ酸アニオンの具体例としては、例えば、ケギン型リンタングステン酸イオンα−［ＰＷ１２Ｏ４０］３−、ドーソン型リンタングステン酸イオンα−［Ｐ２Ｗ１８Ｏ６２］６−、β−［Ｐ２Ｗ１８Ｏ６２］６−、ケギン型ケイタングステン酸イオンα−［ＳｉＷ１２Ｏ４０］４−、β−［ＳｉＷ１２Ｏ４０］４−、γ−［ＳｉＷ１２Ｏ４０］４−、さらにその他の例として［Ｐ２Ｗ１７Ｏ６１］１０−、［Ｐ２Ｗ１５Ｏ５６］１２−、［Ｈ２Ｐ２Ｗ１２Ｏ４８］１２−、［ＮａＰ５Ｗ３０Ｏ１１０］１４−、α−［ＳｉＷ９Ｏ３４］１０−、γ−［ＳｉＷ１０Ｏ３６］８−、α−［ＳｉＷ１１Ｏ３９］８−、β−［ＳｉＷ１１Ｏ３９］８−、［Ｗ６Ｏ１９］２−、［Ｗ１０Ｏ３２］４−、ＷＯ４２−、α−［ＰＭｏ１２Ｏ４０］３−、α−［ＰＷ１１ＭｏＯ４０］３−、α−［ＰＷ９Ｍｏ３Ｏ４０］３−、α−［ＰＷ３Ｍｏ９Ｏ４０］３−、α−［ＳｉＭｏ１２Ｏ４０］４−、α−［Ｐ２Ｍｏ１８Ｏ６２］６−、［Ｍｏ２Ｏ７］２−、［Ｍｏ６Ｏ１９］２−、［Ｍｏ８Ｏ２６］４−等が挙げられる。
モリブデンおよびタングステンの少なくともいずれかを含む無機酸のアニオンとしては、耐熱性及び耐光性の点、及び原料入手の容易さの点から、上記の中でもヘテロポリ酸であることが好ましく、更にＰ（リン）を含むヘテロポリ酸であることがより好ましい。
【０１３０】
第１実施態様の色材におけるポリ酸アニオンは、上記のアニオンを１種単独で、又は２種以上組み合わせて用いることができ、２種以上組み合わせて用いる場合には、ポリ酸アニオン全体におけるモリブデンとタングステンとのモル比が０．４：９９．６〜１５：８５であればよい。中でも、耐熱性及び耐光性に優れる点から、モリブデンとタングステンとのモル比が０．８：９９．２〜１３：８７であることが好ましく、１．０：９９．０〜１０：９０であることがより好ましい。
【０１３１】
また、第２実施態様の色材におけるポリ酸アニオンは、上記のアニオンを１種単独で、又は２種以上組み合わせて用いることができ、２種以上組み合わせて用いる場合には、ポリ酸アニオン全体におけるモリブデンのタングステンに対するモル比が０．４／９９．６未満であればよい。中でも、加熱時に輝度が低下しにくい点から、モリブデンのタングステンに対するモル比が０．３／９９．７以下であることが好ましい。この範囲には、ポリ原子としてモリブデンを含まずタングステンのみを含む場合、即ち、ポリ酸アニオン中のモリブデンとタングステンとのモル比が０：１００である場合が包含される。
【０１３２】
上記一般式（ＩＩ）におけるａは、カチオンを構成する発色性カチオン部位の数であり、ａは２〜４の整数である。すなわち、本発明において用いられる色材は、カチオンの価数が２以上であり、且つアニオンの価数も２以上であるため、上述した分子会合体が形成され、耐熱性及び耐光性が向上する。一方、ａは４以下であればよく、製造の容易性の点からは、３以下であることがより好ましい。
【０１３３】
上記一般式（ＩＩ）におけるｂは分子会合体中のカチオンの分子数を、ｄは分子会合体中のアニオンの分子数を示し、ｂ及びｄは１以上の整数を表す。本発明における色材はその結晶乃至凝集体において、ｂ及びｄがそれぞれ１の場合に限られず、それぞれ２、３、４…と２以上のいかなる自然数をもとり得る。本発明における色材は、耐熱性及び耐光性の点から、少なくとも一部がｂ≧２の分子会合体を形成していることが好ましい。また、本発明における色材は、耐熱性及び耐光性の点から、少なくとも一部がｄ≧２の分子会合体を形成していることが好ましい。
ｂが２以上の場合、分子会合体中に複数あるカチオンは、１種単独であっても、２種以上が組み合わされていてもよい。また、ｄが２以上の場合、分子会合体中に複数あるアニオンは、１種単独であっても、２種以上が組み合わされていてもよく、有機アニオンと無機アニオンを組み合わせて用いることもできる。
【０１３４】
色材の平均粒径および青色着色層中の色材の含有量については、上述した「（ａ）一般式（Ｉ）で表わされる色材」の項で説明した内容と同様とすることができるため、ここでの説明は省略する。
【０１３５】
色材の形成方法については、特許５２２３９８０号公報、および特許５４０３１７５号公報に記載されている方法を用いることができる。
【０１３６】
（ｃ）バインダー樹脂
本発明に用いられる青色着色層は、通常、バインダー樹脂を含む。
本発明に用いられるバインダー樹脂としては、一般的なカラーフィルタの着色層に用いられるものと同様とすることができ、上述した「（Ａ）赤色着色層」の項で説明した内容と同様とすることができるため、ここでの説明は省略する。
【０１３７】
（ｄ）その他の成分
本発明における青色着色層は、通常、上述した色材と、バインダー樹脂とを含むものであり、必要に応じて、他の成分を適宜選択して含むことができる。
このような成分としては、例えば、酸化防止剤を挙げることができる。上記酸化防止剤を添加することにより、青色着色層の耐熱性、耐光性をより良好なものとすることができる。酸化防止剤としては、フリーラジカル捕捉機能を有する一次酸化防止剤や、過酸化物分解機能を有する二次酸化防止剤等を挙げることができ、一方を用いてもよく、両方を用いてもよい。
一次酸化防止剤としては、２，６−ジ−ｔ−ブチルフェノール（分子量２０６）、２，６−ジ−ｔ−ブチル−ｐ−クレゾール（分子量２２０）（商品名：ヨシノックス ＢＨＴ（エーピーアイコーポレーション社製））、４，４’−ブチリデンビス（６−ｔ−ブチル−３−メチルフェノール）（分子量３８３）（商品名：ヨシノックスＢＢ（エーピーアイコーポレーション社製））、２，２’−メチレンビス（４−メチル−６−ｔ−ブチルフェノール）（分子量３４１）（商品名：ヨシノックス ２２４６Ｇ（エーピーアイコーポレーション社製））、２，２’−メチレンビス（４−エチル−６−ｔ−ブチルフェノール）（分子量３６９）（商品名：ヨシノックス ４２５（エーピーアイコーポレーション社製））、２，６−ジ−ｔ−ブチル−４−エチルフェノール（分子量２３４）（商品名：ヨシノックス ２５０（エーピーアイコーポレーション社製））、１，１，３−トリス（２−メチル−４−ヒドロキシ−５−ｔ−ブチルフェニル）ブタン（分子量５４５）（商品名：ヨシノックス ９３０（エーピーアイコーポレーション社製））、ｎ−オクタデシル−３−（３，５−ジ−ｔ−ブチル−４−ヒドロキシフェニル）プロピオネート（分子量５３１）（商品名：トミノックス ＳＳ（エーピーアイコーポレーション社製）、商品名：ＩＲＧＡＮＯＸ １０７６（チバ・ジャパン株式会社製））、テトラキス［メチレン−３−（３，５−ジ−ｔ−ブチル−４−ヒドロキシフェニル）プロピオネート］メタン（分子量１１７８）（商品名：トミノックス ＴＴ（エーピーアイコーポレーション社製）、商品名：ＩＲＧＡＮＯＸ １０１０（チバ・ジャパン株式会社製））、トリエチレングリコールビス［３−（３−ｔ−ブチル−４−ヒドロキシ−５−メチルフェニル）プロピオネート］（分子量５８７）（商品名：トミノックス ９１７（エーピーアイコーポレーション社製）、商品名：ＩＲＧＡＮＯＸ ２４５（チバ・ジャパン株式会社製））、トリス（３，５−ジ−ｔ−ブチル−４−ヒドロキシベンジル）イソシアヌレイト（分子量７８４）（商品名：ヨシノックス ３１４（エーピーアイコーポレーション社製）、商品名：ＩＲＧＡＮＯＸ ３１１４（チバ・ジャパン株式会社製））、３，９−ビス［２−［３−（３−ｔ−ブチル−４−ヒドロキシ−５−メチルフェニル）プロピオニロキシ］−１，１−ジメチルエチル］−２，４，８，１０−テトラオキサスピロ［５，５］−ウンデカン（分子量７４１）（商品名：Ｓｕｍｉｌｉｚｅｒ ＧＡ−８０（住友化学製））、２，２−チオ−ジエチレンビス［３−（３，５−ジ−ｔ−ブチル−４−ヒドロキシフェニル）プロピオネート］（分子量６４３）（商品名：ＩＲＧＡＮＯＸ １０３５（チバ・ジャパン株式会社製））、Ｎ，Ｎ’−ヘキサメチレンビス（３，５−ジ−ｔ−ブチル−４−ヒドロキシ−ヒドロシンナマミド）（分子量６３７）（商品名：ＩＲＧＡＮＯＸ １０９８（チバ・ジャパン株式会社製））、イソオクチル−３−（３，５−ジ−ｔ−ブチル−４−ヒドロキシフェニル）プロピオネート（分子量３９１）（商品名：ＩＲＧＡＮＯＸ １１３５（チバ・ジャパン株式会社製））、１，３，５−トリメチル‐２，４，６−トリス（３，５−ジ−ｔ−ブチル−４−ヒドロキシベンジル）ベ���ゼン（分子量７７５）（商品名：ＩＲＧＡＮＯＸ １３３０（チバ・ジャパン株式会社製））、２，４−ビス（ドデシルチオメチル）−６−メチルフェノール（分子量５３７）（商品名：ＩＲＧＡＮＯＸ １７２６（チバ・ジャパン株式会社製））、ビス（３，５−ジ−ｔ−ブチル−４−ヒドロキシベンジルホスホン酸エチル）カルシウムとポリエチレンワックスの混合体（分子量６９５）（商品名：ＩＲＧＡＮＯＸ １４２５（チバ・ジャパン株式会社製））、２，４−ビス［（オクチルチオ）メチル］−ｏ−クレゾール（分子量４２５）（商品名：ＩＲＧＡＮＯＸ １５２０（チバ・ジャパン株式会社製））、１，６−ヘキサンジオール−ビス［３−（３，５−ジ−ｔ−ブチル−４−ヒドロキシフェニル）プロピオネート］（分子量６３９）（商品名：ＩＲＧＡＮＯＸ ２５９（チバ・ジャパン株式会社製））、２，４−ビス−（ｎ−オクチルチオ）−６−（４−ヒドロキシ−３，５−ジ−ｔ−ブチルアニリノ）−１，３，５−トリアジン（分子量５８９）（商品名：ＩＲＧＡＮＯＸ ５６５（チバ・ジャパン株式会社製））、ジエチル（（３，５−ビス（１，１−ジメチルエチル）−４−ヒドロキシフェニル）メチル）ホスフォナート（分子量３５６）（商品名：ＩＲＧＡＭＯＤ２９５（チバ・ジャパン株式会社製））等が挙げられる。
二次酸化防止剤としては６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサフォスフェピン（分子量６６１）（商品名：Ｓｕｍｉｌｉｚｅｒ ＧＰ（住友化学製））、トリス（２，４−ジ−ｔ−ブチルフェニル）ホスファイト（分子量６４７）（商品名：ＩＲＧＡＦＯＳ １６８（チバ・ジャパン株式会社製））、２−［［２，４，８，１０−テトラキス（１，１−ジメチルエチル）ジベンゾ［ｄ，ｆ］［１，３，２］ジオキサフォスフェピン−６−イル］オキシ］−Ｎ，Ｎ−ビス［２−［［２，４，８，１０−テトラキス（１，１−ジメチルエチル）ジベンゾ［ｄ，ｆ］［１，３，２］ジオキサフォスフェピン−６−イル］オキシ］−エチル］エタナミン（分子量１４６５）（商品名：ＩＲＧＡＦＯＳ １２（チバ・ジャパン株式会社製））、ビス（２，４−ジ−ｔ−ブチル‐６−メチルフェニル）エチルフォスファイト（分子量５１４）（商品名：ＩＲＧＡＦＯＳ ３８（チバ・ジャパン株式会社製））、ジラウリルチオジプロピオネート（分子量５１５）（商品名：ＤＬＴＰ「ヨシトミ」（エーピーアイコーポレーション社製）、商品名：ＩＲＧＡＮＯＸ ＰＳ ８００ ＦＤ（チバ・ジャパン株式会社製））、ジステアリルチオジプロピオネート（分子量６８３）（商品名：ＤＳＴＰ「ヨシトミ」（エーピーアイコーポレーション社製）、商品名：ＩＲＧＡＮＯＸ ＰＳ ８０２ ＦＤ（チバ・ジャパン株式会社製））、ジミリスチルチオジプロピオネート（分子量５７１）（商品名：ＤＭＴＰ「ヨシトミ」（エーピーアイコーポレーション社製）、商品名：Ｓｕｍｉｌｉｚｅｒ ＴＰＭ（住友化学製））、ジトリデシルチオジプロピオネート（分子量５４３）（商品名：ＤＴＴＰ（エーピーアイコーポレーション社製）、ペンタエリスリチルテトラキス（３−ラウリルチオプロピオネート）（分子量１１６２）（商品名：Ｓｕｍｉｌｉｚｅｒ ＴＰ−Ｄ（住友化学製））等が挙げられる。
【０１３８】
青色着色層中の酸化防止剤の含有量としては、酸化防止剤の種類等に応じて適宜選択することができ、特に限定されないが、例えば、０．００１質量％〜５質量％の範囲内、中でも０．０１質量％〜１質量％の範囲内、特に０．０５質量％〜０．５質量％の範囲内であることが好ましい。
【０１３９】
（ｅ）その他
青色着色層の厚さ、配列および形成方法については、後述する「（Ｄ）着色層」の項で説明するため、ここでの説明は省略する。
【０１４０】
(Ｃ)赤色着色層
本発明における赤色着色層は、後述するバックライト部における赤色光に対する選択透過性を有するものである。
【０１４１】
上記赤色着色層の透過特性としては、後述するバックライト部における赤色光に対する選択透過性を示すことができれば特に限定されないが、５５０ｎｍ以下の可視領域の光を透過しないものであることが好ましい。後述するバックライト部における赤色光に対する選択透過性を良好にすることができるからである。
また、本発明おいては、５７０ｎｍ〜７８０ｎｍの波長領域における平均透過率が、７０％以上、中でも７０％〜９０％の範囲内、特に８０％〜９０％の範囲内であることが好ましい。赤色着色層の６３０ｎｍ〜６６０ｎｍの波長領域における平均透過率が低すぎると、バックライト部における赤色光を十分に利用することが困難となる可能性があるからである。
また、本発明においては、赤色着色層の３８０ｎｍ〜５７０ｎｍの波長領域の平均透過率が、１％以下、中でも０．５％以下、特に０．１％以下であることが好ましい。赤色着色層の上述の波長領域における平均透過率が高すぎると、本発明の高演色液晶表示装置の色域の赤色領域を十分に広げることが困難となる可能性があるからである。
【０１４２】
本発明における赤色着色層の透過スペクトルとしては、例えば、図４に示されるスペクトルを挙げることができる。
【０１４３】
本発明における赤色着色層は、赤色色材を含有するものである。
赤色着色層に含有される赤色色材としては、一般的なカラーフィルタに用いられるものと同様とすることができ、特に限定されないが、例えば、Ｃ．Ｉ．ピグメントレッド（ＰＲ）１４９、ＰＲ１７７、ＰＲ２４２、ＰＲ２５４、ＰＲ２６４等を用いることができる。
【０１４４】
赤色着色層中の色材全体の含有量としては、所望の透過特性を有する赤色着色層とすることができれば特に限定されないが、５質量％〜５０質量％の範囲内、中でも１０質量％〜４０質量％の範囲内、特に１５質量％〜３５質量％の範囲内であることが好ましい。
上記色材全体の含有量が少ないと、赤色着色層の透過率が高くなりすぎバックライト部の赤色光に対して十分な選択透過性を発揮することが困難となる可能性があるからである。また、上記色材全体の含有量が多いと、赤色着色層自体を形成することが困難となる可能性があるからである。
なお、色材全体の含有量とは、青色色材の含有量および黄色色材の含有量の総和をいう。
【０１４５】
赤色着色層は、通常、バインダー樹脂を含むものである。バインダー樹脂としては、一般的なカラーフィルタに用いられるものから適宜選択することができ、例えば上述した「Ａ．緑色着色層」の項で説明したものから適宜選択して用いることができる。
【０１４６】
赤色着色層は、上述した色材およびバインダー樹脂を含有していれば特に限定されず、必要な成分を添加することができる。このような成分としては、例えば、上述した「（Ｂ）青色着色層」の項で説明する酸化防止剤等を上げることができる。
【０１４７】
赤色着色層の厚さ、配列および形成方法については、後述する「（Ｄ）着色層」の項で説明するため、ここでの説明は省略する。
【０１４８】
（Ｄ）着色層
本発明における複数色の着色層の配列としては、一般的な液晶表示装置に用いられるものと同様とすることができ、具体的には、ストライプ型、モザイク型、トライアングル型、４画素配置型等の一般的な配列とすることができる。また、着色層の幅、面積等は任意に設定することができる。
【０１４９】
着色層の厚さとしては、一般的なカラーフィルタに用いられるものと同様とすることができ、特に限定されないが、通常、０．５μｍ〜５μｍの範囲内であることが好ましく、０．５μｍ〜３．５μｍの範囲内であることが好ましい。
【０１５０】
着色層の形成方法としては、一般的なカラーフィルタの形成方法に用いられる方法と同様とすることができ、特に限定されず、例えば、フォトリソグラフィ法、インクジェット法を挙げることができる。
【０１５１】
（２）透明基板
本発明に用いられる透明基板は、上述した複数色の着色層等を支持するものである。
透明基板と透明性としては、例えば、可視領域における透過率が８０％以上であることが好ましく、９０％以上であることがより好ましい。ここで、透明基材の透過率は、ＪＩＳ Ｋ７３６１−１（プラスチック−透明材料の全光透過率の試験方法）により測定することができる。
【０１５２】
本発明におけるカラーフィルタにおける透明基板としては、可視光に対して透明な基材であればよく、特に限定されず、一般的なカラーフィルタに用いられる透明基板を使用することができる。具体的には、石英ガラス、無アルカリガラス、合成石英板等の可撓性のない透明なリジッド材、あるいは、透明樹脂フィルム、光学用樹脂板等の可撓性を有する透明なフレキシブル材が挙げられる。
【０１５３】
当該透明基板の厚さは、特に限定されるものではないが、本発明におけるカラーフィルタの用途に応じて、例えば１００μｍ〜１ｍｍ程度のものを使用することができる。
【０１５４】
（３）その他の構成
なお、本発明におけるカラーフィルタは、上記透明基板、および複数の着色層以外にも、例えば、遮光部、オーバーコート層や透明電極層、さらには配向膜や柱状スペーサ等が形成されたものであってもよい。これらの構成については、一般的なカラーフィルタに用いられるものと同様とすることができるため、ここでの説明は省略する。
【０１５５】
（４）カラーフィルタの形成方法
本発明におけるカラーフィルタの形成方法は、上述した着色層を形成することができれば特に限定されず、一般的なカラーフィルタの形成方法と同様とすることができる。
【０１５６】
２．対向基板
本発明における対向基板については、液晶セルの駆動方式に応じて一般的なものを適宜選択して用いることができる。対向基板は、必要に応じて、カラーフィルタと対向する側の表面上に配向膜が形成されていてもよい。また、対向基板は、必要に応じて、例えば、カラーフィルタと対向する側の表面上に上述した柱状スペーサが形成されていてもよい。
【０１５７】
３．液晶層
本発明における液晶層に用いられる液晶としては、液晶セル部の駆動方式に応じて適宜選択することができ、一般的なものを用いることができる。上記液晶としては、誘電異方性の異なる各種液晶、及びこれらの混合物を用いることができる。
【０１５８】
液晶層の形成方法としては、一般に液晶セルの作製方法として用いられる方法を使用することができ、例えば、真空注入方式や液晶滴下方式等が挙げられる。
真空注入方式では、例えば、あらかじめカラーフィルタ及び対向基板を用いて液晶セルを作製し、液晶を加温することにより等方性液体とし、キャピラリー効果を利用して液晶セルに液晶を等方性液体の状態で注入し、接着剤で封鎖することにより液晶層を形成することができる。その後、液晶セルを常温まで徐冷することにより、封入された液晶を配向させることができる。
また液晶滴下方式では、例えば、カラーフィルタの周縁にシール剤を塗布し、このカラーフィルタを液晶が等方相になる温度まで加熱し、ディスペンサー等を用いて液晶を等方性液体の状態で滴下し、カラーフィルタ及び対向基板を減圧下で重ね合わせ、シール剤を介して接着させることにより、液晶層を形成することができる。その後、液晶セルを常温まで徐冷することにより、封入された液晶を配向させることができる。
【０１５９】
４．その他
本発明における液晶セル部は、上述したカラーフィルタ、対向基板、および液晶層を有していれば特に限定されず、必要な構成を適宜選択して追加することができる。上記液晶セル部は、通常、カラーフィルタと対向基板との間に液晶層を封止するシール剤が配置される。シール剤については、一般的な液晶表示装置に用いられるものと同様とすることができるため、ここでの説明は省略する。
【０１６０】
本発明における液晶セル部の駆動方式としては、一般的に液晶表示装置に用いられている駆動方式を採用することができる。このような駆動方式としては、例えば、ＴＮ方式、ＩＰＳ方式、ＯＣＢ方式、及びＭＶＡ方式等を挙げることができる。本発明においてはこれらのいずれの方式であっても好適に用いることができる。
【０１６１】
液晶セル部の形成方法については、一般的な液晶表示装置の液晶セルの形成方法と同様とすることができる。
【０１６２】
ＩＩ．バックライト部
本発明におけるバックライト部は、青色発光素子ならびに上記青色発光素子の発光光路上に配置された緑色量子ドットおよび赤色量子ドットを有するものである。
青色発光素子の発光光路上に配置されるとは、青色発光素子から発光された青色光が液晶セル部側へ進行する光路上に配置されることをいう。
【０１６３】
１．バックライト部の発光スペクトル
本発明におけるバックライト部は、その発光スペクトルが、青色光のピーク波長におけるピーク位置が４６３ｎｍ±４ｎｍの範囲内に存在し半値幅が２５ｎｍ以下であり、緑色光のピーク波長におけるピーク位置が５２３ｎｍ±５ｎｍの範囲内に存在し半値幅が４０ｎｍ以下であり、赤色光のピーク波長におけるピーク位置が６４６ｎｍ±８ｎｍの範囲内に存在し半値幅が３５ｎｍ以下であることを特徴とする。
【０１６４】
本発明におけるバックライト部は、上述した発光スペクトルを有することができれば特に限定されない。例えば、青色光のピーク波長におけるピーク位置としては、４６３ｎｍ±４ｎｍの範囲内に存在していればよく、中でも４６３ｎｍ±２ｎｍの範囲内に存在していることが好ましく、特に４６３ｎｍであることが好ましい。また、緑色光のピーク波長におけるピーク位置としては、５２３ｎｍ±５ｎｍの範囲内に存在していればよく、中でも５２３ｎｍ±３ｎｍの範囲内に存在していることが好ましく、特に５２３ｎｍであることが好ましい。また、赤色光のピーク波長におけるピーク位置としては、６４６ｎｍ±８ｎｍの範囲内に存在していればよく、中でも６４６ｎｍ±３ｎｍの範囲内に存在していることが好ましく、特に６４６ｎｍであることが好ましい。
バックライト部の発光スペクトルにおける各ピーク波長のピーク位置が上述した範囲内であることにより、演色性を良好なものとすることができ、本発明の高演色液晶表示装置の色再現性を良好なものとすることができるからである。
【０１６５】
バックライト部のピーク波長におけるピークの位置および半値幅については、一般的な測定方法により求めることができ、例えば、輝度計（SR-UL1；トプコン社製)を用いて測定することができる。
【０１６６】
バックライト部の発光スペクトルとしては、例えば、図６に示すスペクトルを挙げることができる。なお、図６は本発明におけるバックライト部の発光スペクトルの一例を説明するイメージグラフである。
【０１６７】
２．バックライト部の構成
（１）緑色量子ドット
本発明に用いられる緑色量子ドットは、後述する青色発光素子が発光する青色光を照射することにより、５２０ｎｍ〜５４５ｎｍの波長領域に蛍光スペクトルのピーク波長のピーク位置を有し、上記ピーク波長の半値幅が３０ｎｍ以下の光を発光するナノメートルサイズの半導体微粒子である。
緑色量子ドットおよび後述する赤色量子ドットの蛍光スペクトル、ピーク波長および半値幅は、輝度計（SR-UL1；トプコン社製)を用いて測定することができる。
【０１６８】
上記緑色量子ドットの蛍光スペクトルのピーク波長のピーク位置としては、５２０ｎｍ〜５４５ｎｍの波長領域に存在すれば特に限定されないが、中でも５２０ｎｍ〜５４０ｎｍの波長領域、特に５２５ｎｍ〜５３５ｎｍの波長領域に存在することが好ましい。
緑色量子ドットのピーク波長のピーク位置が上述した範囲内に存在することにより、本発明の高演色液晶表示装置の色再現性を良好なものとすることができるからである。
【０１６９】
また、緑色量子ドットの蛍光スペクトルのピーク波長の半値幅としては、３０ｎｍ以下であれば特に限定されないが、中でも１０ｎｍ〜３０ｎｍの範囲内、特に２０ｎｍ〜３０ｎｍの範囲内であることが好ましい。
緑色量子ドットの蛍光スペクトルのピーク波長の半値幅が大きすぎると、バックライト部の緑色領域および赤色領域のピーク波長の間のボトム波長の発光強度を十分に低くすることが困難となる可能性があるからである。また、緑色量子ドットの蛍光スペクトルのピーク波長の半値幅が小さすぎると、緑色量子ドット自体を得ることが困難となる可能性があるからである。
【０１７０】
上記緑色量子ドットとしては、所望の波長を有する光を得ることができればよく、１種類の半導体材料で構成されていてもよく、２種類以上の半導体材料で構成されるものであってもよい。
また、緑色量子ドットとしては、半導体化合物で構成されるコア部と、コア部とは異なる半導体化合物で構成されるシェル部を有するコアシェル型構造を有する量子ドット材料を好適に用いることができる。また、コア部のみを有する量子ドット材料や、ドーパントを有する半導体微粒子からなる量子ドット材料を用いることができる。
【０１７１】
量子ドット材料のコア部となる材料として具体的には、ＭｇＳ、ＭｇＳｅ、ＭｇＴｅ、ＣａＳ、ＣａＳｅ、ＣａＴｅ、ＳｒＳ、ＳｒＳｅ、ＳｒＴｅ、ＢａＳ、ＢａＳｅ、ＢａＴｅ、ＺｎＳ、ＺｎＳｅ、ＺｎＴｅ、ＣｄＳ、ＣｄＳｅ、ＣｄＴｅ、ＨｇＳ、ＨｇＳｅ及びＨｇＴｅのようなＩＩ−ＶＩ族半導体化合物、ＡｌＮ、ＡｌＰ、ＡｌＡｓ、ＡｌＳｂ、ＧａＡｓ、ＧａＰ、ＧａＮ、ＧａＳｂ、ＩｎＮ、ＩｎＡｓ、ＩｎＰ、ＩｎＳｂ、ＴｉＮ、ＴｉＰ、ＴｉＡｓ及びＴｉＳｂのようなＩＩＩ−Ｖ族半導体化合物、Ｓｉ、Ｇｅ及びＰｂのようなＩＶ族半導体、等の半導体化合物又は半導体を含有する半導体結晶を例示できる。また、ＩｎＧａＰのような３元素以上を含んだ半導体化合物を含む半導体結晶を用いることもできる。
【０１７２】
さらに、ドーパントを有する半導体微粒子からなる量子ドット材料としては、上記半導体化合物に、Ｅｕ３＋、Ｔｂ３＋、Ａｇ＋、Ｃｕ＋のような希土類金属のカチオンまたは遷移金属のカチオンをドープしてなる半導体結晶を用いることもできる。
【０１７３】
中でも、作製の容易性、可視域での発光を得られる粒径の制御性、蛍光量子収率の観点から、ＣｄＳ、ＣｄＳｅ、ＣｄＴｅ、ＩｎＰ、ＩｎＧａＰ等の半導体結晶が好適である。
【０１７４】
コアシェル型の量子ドット材料を用いる場合にシェルを構成する半導体としては、励起子がコアに閉じ込められるように、コアを形成する半導体化合物よりもバンドギャップの高い材料を用いることで、量子ドット材料の発光効率を高めることが出来る。
このようなバンドギャップの大小関係を有するコアシェル構造（コア／シェル）としては、例えば、ＣｄＳｅ／ＺｎＳ、ＣｄＳｅ／ＺｎＳｅ、ＣｄＳｅ／ＣｄＳ、ＣｄＴｅ／ＣｄＳ、ＩｎＰ／ＺｎＳ、Ｇａｐ／ＺｎＳ、Ｓｉ／ＺｎＳ、ＩｎＮ／ＧａＮ、ＩｎＰ／ＣｄＳＳｅ、ＩｎＰ／ＺｎＳｅＴｅ、ＩｎＧａＰ／ＺｎＳｅ、ＩｎＧａＰ／ＺｎＳ、Ｓｉ／ＡｌＰ、ＩｎＰ／ＺｎＳＴｅ、ＩｎＧａＰ／ＺｎＳＴｅ、ＩｎＧａＰ／ＺｎＳＳｅ等が挙げられる。
【０１７５】
緑色量子ドットの形状は特に限定されず、例えば、球状、棒状、円盤状、その他の形状であっても良い。
【０１７６】
緑色量子ドットの平均粒径としては、所望の波長の光を得ることができれば特に限定されず、量子ドット材料の種類に応じて適宜選択することができる。緑色量子ドットの平均粒径としては、１．０ｎｍ〜４．０ｎｍの範囲内、中でも１．５ｎｍ〜３．５ｎｍの範囲内、特に２．０ｎｍ〜３．０ｎｍの範囲内であることが好ましい。
緑色量子ドットの平均粒径が上記範囲内であることにより、上述した量子ドット材料を用いて良好な発光を示す緑色量子ドットを得ることができるからである。
【０１７７】
ここで、「平均粒径」は、顕微鏡観察による平均粒径である。顕微鏡観察による平均粒子径は、例えば、１００倍で顕微鏡観察を行い、画像処理ソフト等により任意の粒子の粒子径を１００個測定して個数平均することにより得られる。なお、粒子径とは粒子の長軸径と短軸径の平均値を指す。
【０１７８】
また、緑色量子ドットの粒径分布としては、バックライト部が所望の緑色光を発光することができれば特に限定されないが、粒子径２．０ｎｍ〜４．０ｎｍの粒子を８０％以上、中でも８０％〜９８％の範囲内、特に９０％〜９８％の範囲内含むことが好ましい。
上記範囲の粒子径の粒子が少ないと、バックライト部の緑色光の半値幅を所望の幅に調整することが困難となる可能性があるからである。
【０１７９】
上記粒度分布は、透過型電子顕微鏡（ＴＥＭ）により粒子１００個測定して得た値である。
【０１８０】
緑色量子ドット形状等の情報については、透過型電子顕微鏡（ＴＥＭ）により得ることができる。また、緑色量子ドットの結晶構造については、Ｘ線結晶回折（ＸＲＤ）により知ることができる。さらには、紫外−可視（ＵＶ−Ｖｉｓ）吸収スペクトルによって、緑色量子ドットの表面に関する情報を得ることもできる。
【０１８１】
緑色量子ドットの形成方法については、一般的な方法と同様とすることができるため、ここでの説明は省略する。
【０１８２】
本発明におけるバックライト部への緑色量子ドットの配置方法としては、青色発光素子の発光光路上に配置することができればよく、より具体的には青色発光素子から発光された青色光が液晶セル部側へ進行する光路上に配置することできる方法であれば特に限定されない。
例えば、図２に示すように、導光板の液晶セル部側の表面上に、緑色量子ドットを分散させた樹脂シートを配置する方法、図示はしないが、バックライト部がオンエッジ方式である場合は、青色発光素子が配置される導光板の側面に、緑色量子ドットを封じ込めたガラスチューブを実装して配置する方法、等を挙げることができる。
また、青色発光素子が、樹脂で構成される封止部材により封止されて用いられる場合は、上記封止部材中に緑色量子ドットを分散させることにより、青色発光素子の発光光路上に配置してもよい。
【０１８３】
２．赤色量子ドット
本発明に用いられる赤色量子ドットは、後述する青色発光素子が発光する青色光を照射することにより、６００ｎｍ〜６５０ｎｍの波長領域に蛍光スペクトルのピーク波長を有し、上記ピーク波長の半値幅が３５ｎｍ以下の光を発光するナノメートルサイズの半導体微粒子である。
【０１８４】
上記赤色量子ドットの蛍光スペクトルのピーク波長のピーク位置としては、６００ｎｍ〜６５０ｎｍの波長領域に存在すれば特に限定されないが、中でも６１０ｎｍ〜６４０ｎｍの波長領域、特に６１０ｎｍ〜６３０ｎｍの波長領域に存在することが好ましい。
赤色量子ドットのピーク波長のピーク位置が上述した範囲内に存在することにより、本発明の高演色液晶表示装置の色再現性を良好なものとすることができるからである。
【０１８５】
また、赤色量子ドットの蛍光スペクトルのピーク波長の半値幅としては、３５ｎｍ以下であれば特に限定されないが、中でも１０ｎｍ〜３５ｎｍの範囲内、特に２０ｎｍ〜３５ｎｍの範囲内であることが好ましい。
赤色量子ドットの蛍光スペクトルのピーク波長の半値幅が大きすぎると、バックライト部の緑色領域および赤色領域のピーク波長の間のボトム波長の発光強度を十分に低くすることが困難となる可能性があるからである。また、赤色量子ドットの蛍光スペクトルのピーク波長の半値幅が小さすぎると、赤色量子ドット自体を得ることが困難となる可能性があるからである。
【０１８６】
赤色量子ドットに用いられる量子ドット材料、形状、本発明におけるバックライト部への赤色量子ドットの配置方法および赤色量子ドットの形成方法等については、上述した「１．緑色量子ドット」の項で説明した内容と同様とすることができるため、ここでの説明は省略する。
【０１８７】
赤色量子ドットの平均粒径としては、所望の波長の光を得ることができれば特に限定されず、量子ドット材料の種類に応じて適宜選択することができる。赤色量子ドットの平均粒径としては、５．０ｎｍ〜８．０ｎｍの範囲内、中でも５．５ｎｍ〜７．５ｎｍの範囲内、特に６．０ｎｍ〜７．０ｎｍの範囲内であることが好ましい。
赤色量子ドットの平均粒径が上記範囲内であることにより、上述した量子ドット材料を用いて良好な発光を示す赤色量子ドットを得ることができるからである。
【０１８８】
また、赤色量子ドットの粒径分布としては、バックライト部が所望の赤色光を発光することができれば特に限定されないが、粒子径６．０ｎｍ〜８．０ｎｍの粒子を８０％以上、中でも８０％〜９８％の範囲内、特に９０％〜９８％の範囲内含むことが好ましい。
上記範囲の粒子径の粒子が少ないと、バックライト部の赤色光の半値幅を所望の幅に調整することが困難となる可能性があるからである。
【０１８９】
３．青色発光素子
本発明における青色発光素子は、バックライト部における青色光として用いられるとともに、上述した緑色量子ドットおよび赤色量子ドットの励起光として用いられるものである。
【０１９０】
上記青色発光素子としては、通常、上述のバックライト部における青色光のピーク波長のピーク位置および半値幅を有するものが用いられる。
上記ピーク波長および半値幅は、輝度計（SR-UL1；トプコン社製)を用いて測定することができる。
【０１９１】
上記青色発光素子としては、所望の波長の光を得ることができれば特に限定されないが、例えば、青色発光ダイオード（青色ＬＥＤ）、青色発光レーザーダイオード（青色ＬＤ）、青色有機エレクトロルミネッセンス素子（青色ＯＬＥＤ）等を上げることができる。
【０１９２】
青色ＬＥＤおよび青色ＬＤとしては、公知のものを用いることができ、例えば、窒化物系半導体（ＩｎＸＡｌＹＧａ１−Ｘ−ＹＮ、０≦Ｘ、０≦Ｙ、Ｘ＋Ｙ≦１）を用いたものを上げることができる。
【０１９３】
また、青色ＯＬＥＤとしては、公知のものを用いることができ、例えば、陽極と陰極と、陽極および陰極の間に形成された青色有機発光層とを有するものを挙げることができる。
【０１９４】
青色発光素子は、通常、樹脂で構成される封止部材により封止されて用いられる。上記封止部材に用いられる樹脂としては、エポキシ樹脂、シリコーン樹脂、エポキシ変性シリコーン樹脂、変成シリコーン樹脂等の熱硬化性樹脂を挙げることができる。
【０１９５】
また、青色発光素子は、発光装置として構成されていてもよい。発光装置の形式については一般的な発光装置の形式と同様とすることができ、例えば、砲弾型、表面実装型等を挙げることができる。また、この場合、発光装置に用いられる構成については、一般的なものとすることができるため、ここでの説明は省略する。
【０１９６】
４．その他の構成
本発明におけるバックライト部は、上述した青色発光素子、緑色量子ドットおよび赤色量子ドットを有していれば特に限定されず、必要な構成を適宜選択して追加することができる。このような構成としては、例えば、導光板、光拡散シート、プリズムシート等の光学部材や、発光装置を実装する実装基板等を挙げることができる。これらの構成については、一般的なバックライト部に用いられるものと同様とすることができるため、ここでの説明は省略する。
【０１９７】
５．バックライト部
本発明におけるバックライト部の形成方法としては、一般的なバックライト部の形成方法と同様とすることができるため、ここでの説明は省略する。
【０１９８】
ＩＩＩ．その他の構成
本発明の高演色液晶表示装置は、上述した液晶セル部と、バックライト部とを有していればよく、必要に応じて他の構成を適宜選択して追加することができる。本発明の高演色液晶表示装置は、通常、液晶セル部の両面上に偏光板が配置される。また、高演色液晶表示装置の液晶セル部の表示面側にタッチパネルセンサを配置してもよい。また、高演色液晶表示装置置の表示面側に前面板を配置してもよい。偏光板、タッチパネルセンサおよび前面板については、一般的な液晶表示装置に用いられるものと同様とすることができるため、ここでの説明は省略する。
【０１９９】
ＩＶ．その他
本発明の高演色液晶表示装置の製造方法については、一般的な液晶表示装置の製造方法と同様とすることができるため、ここでの説明は省略する。
【０２００】
本発明の高演色液晶表示装置は、従来の液晶表示装置に比べて、広色域であることを特徴とする。本発明の高演色液晶表示装置の色域としては、ＮＴＳＣ比で１００％を達成することが可能である。また、本発明の高演色液晶表示装置においては、ｘｙ色度図におけるＢＴ．２０２０の色域の面積に対して、本発明の高演色液晶表示装置の色域の面積比が、９０％以上、中でも９５％以上、特に１００％を達成するように調整されることが好ましい。
本発明の高演色液晶表示装置の色域としては、ＮＴＳＣカバー率で１００％を達成することが可能である。また、ｘｙ色度図におけるＢＴ．２０２０の色域に対して、本発明の高演色液晶表示装置の色域のカバー率としては、９０％以上、中でも９５％以上、特に１００％を達成するように調整されることが好ましい。
なお、高演色液晶表示装置の色域のカバー率とは、ｘｙ色度図における各規定の三角形の面積に対して、高演色液晶表示装置の色域の三角形の面積の重なり部分の面積の比率をいう。
【０２０１】
高演色液晶表示装置の色域は、高演色液晶表示装置の発光スペクトルを測定することにより求めることができる。高演色液晶表示装置の発光スペクトルは輝度計（SR-UL1；トプコン社製)を用いて測定することができる。
【０２０２】
本発明の高演色液晶表示装置の用途としては、例えば、携帯電話、タブレット端末、テレビ、パーソナルコンピューター、ウェアラブル端末等に用いることができる。
【０２０３】
Ｂ．カラーフィルタ
本発明のカラーフィルタは、青色発光素子ならびに上記青色発光素子の発光光路上に配置された緑色量子ドットおよび赤色量子ドットを有し、発光スペクトルの青色光のピーク波長におけるピーク位置が４６３ｎｍ±４ｎｍの範囲内に存在し半値幅が２５ｎｍ以下であり、緑色光のピーク波長におけるピーク位置が５２３ｎｍ±５ｎｍの範囲内に存在し半値幅が４０ｎｍ以下であり、赤色光のピーク波長におけるピーク位置が６４６ｎｍ±８ｎｍの範囲内に存在し半値幅が３５ｎｍ以下の光を発光するバックライト部と、透明基板および上記透明基板上に形成された赤色着色層、緑色着色層および青色着色層を含む着色層を有するカラーフィルタ、対向基板、ならびに上記カラーフィルタおよび上記対向基板の間に形成された液晶層を有する液晶セル部と、を有する高演色液晶表示装置に用いられるものであって、上記緑色着色層が、青色色材および黄色色材を含有することを特徴とするものである。
【０２０４】
本発明のカラーフィルタについて図を用いて説明する。図７は、本発明のカラーフィルタの一例を示す概略断面図である。図７に示すように、本発明のカラーフィルタ４は、透明基板１、透明基板１上に形成された赤色着色層２Ｒ、緑色着色層２Ｇおよび青色着色層２Ｂを有する着色層２、各着色層２Ｒ、２Ｇ、２Ｂの間に形成され、画素を画定する遮光部３を有するものである。また、本発明においては、赤色着色層２Ｒ、緑色着色層２Ｇおよび青色着色層２Ｂがそれぞれ特定の色材を有することを特徴とする。
また、本発明のカラーフィルタ４は、例えば、上述した図２に示す高演色液晶表示装置１００の液晶セル部１０に用いられるものである。
【０２０５】
本発明によれば、緑色着色層が青色色材および黄色色材を含有することにより、上述のバックライト部とともに高演色液晶表示装置に用いた場合に、色再現性を良好にすることが可能なカラーフィルタとすることができる。
【０２０６】
なお、本発明のカラーフィルタの各構成については、上述した「Ａ．高演色液晶表示装置  Ｉ．液晶セル部  １．カラーフィルタ」の項で説明した内容と同様とすることができるため、ここでの説明は省略する。
【０２０７】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０２０８】
[実施例１]
（青色色材１の作製）
和光純薬（株）製  １−ヨードナフタレン１５．２ｇ（６０ｍｍｏｌ）、三井化学（株）製  ノルボルナンジアミン（ＮＢＤＡ）（ＣＡＳ  Ｎｏ．５６６０２−７７−８）４．６３ｇ（３０ｍｍｏｌ）、ナトリウム−ｔｅｒｔ−ブトキシド  ８．０７ｇ（８４ｍｍｏｌ）、アルドリッチ製  ２−ジシクロヘキシルホスフィノ−２’，６’，−ジメトキシビフェニル  ０．０９ｇ（０．２ｍｍｏｌ）、和光純薬（株）製  酢酸パラジウム  ０．０２１ｇ（０．１ｍｍｏｌ）、キシレン  ３０ｍＬに分散し１３０℃〜１３５℃で４８時間反応させた。反応終了後、室温に冷却し水を加え抽出した。次いで硫酸マグネシウムで乾燥し濃縮することにより下記化学式（１）で示される中間体１  ８．５ｇ（収率７０％）を得た。得られた化合物は、下記の分析結果より目的の化合物であることを確認した。
・ＭＳ（ＥＳＩ）  （ｍ／ｚ）：４０７（Ｍ＋Ｈ）
・元素分析値：ＣＨＮ実測値  （８５．４７％、８．０２％、６．７２％）；理論値（８５．２６％、８．１１％、６．６３％）
【０２０９】
【化１１】
2016167041.tif 000013
【０２１０】
中間体１  ８．４６ｇ（２０．８ｍｍｏｌ）、東京化成工業製  ４，４’−ビス（ジメチルアミノ）ベンゾフェノン１３．５ｇ（４１．６ｍｍｏｌ）トルエン６０ｍＬを入れ４５℃〜５０℃で攪拌した。和光純薬工業製オキシ塩化リン  ６．３８ｇ（５１．５ｍｍｏｌ）を滴下し、２時間還流し冷却した。反応終了後、トルエンをデカントした。樹脂状析出物をクロロホルム４０ｍＬ、水４０ｍＬ、濃塩酸を加えて溶解しクロロホルム層を分液した。クロロホルム層を水で洗浄し、硫酸マグネシウムで乾燥、濃縮した。濃縮物に酢酸エチル６５ｍＬを加え還流した。冷却の後に析出物を濾過し下記化学式（２）で示される青色色材１（ＢＢ７−Ｎｂ−ｄｉｍｅｒ）を１５．９ｇ（収率７０％）得た。
得られた化合物は、下記の分析結果より目的の化合物であることを確認した。
・ＭＳ（ＥＳＩ）  （ｍ／ｚ）：５１１（＋）、２価
・元素分析値：ＣＨＮ実測値  （７８．１３％、７．４８％、７．７８％）；理論値（７８．０６％、７．７５％、７．６９％）
【０２１１】
【化１２】
2016167041.tif 000014
【０２１２】
さらに、関東化学社製１２タングストリン酸・ｎ水和物３．９８ｇを水５０ｍＬに溶解させた。そこに、水５０ｍＬとメタノール１００ｍＬの混合溶媒に溶解させた青色色材１（中間体２）  ２．０ｇ（１．８３ｍｍｏｌ）に加え、常温で１時間攪拌して反応液を得た。該反応液を減圧下で濾取してケーキを得た。上記ケーキを水で洗浄した後、該ケーキを減圧乾燥して青色色材１を得た。
【０２１３】
(紫色色材１の作製)
水５０ｍＬとメタノール１００ｍＬの混合溶媒に溶解させたアシッドレッド２８９（東京化成工業社製）  ２．０ｇ（１．８３ｍｍｏｌ）に、ポリ塩化アルミニウム（浅田化学工業社製）３．９８ｇに水５０ｍＬを加えた水溶液を添加し、常温で１時間攪拌して反応液を得た。該反応液を減圧下で濾取してケーキを得た。上記ケーキを水で洗浄した後、該ケーキを減圧乾燥して紫色色材１を得た。
【０２１４】
（硬化性樹脂組成物の調製）
重合槽中にメタクリル酸メチル（ＭＭＡ）を６３重量部、アクリル酸（ＡＡ）を１２重量部、メタクリル酸−２−ヒドロキシエチル（ＨＥＭＡ）を６重量部、ジエチレングリコールジメチルエーテル（ＤＭＤＧ）を８８重量部仕込み、攪拌し溶解させた後、２，２’−アゾビス（２−メチルブチロニトリル）を７重量部添加し、均一に溶解させた。その後、窒素気流下、８５℃で２時間攪拌し、更に１００℃で１時間反応させた。得られた溶液に、更にメタクリル酸グリシジル（ＧＭＡ）を７重量部、トリエチルアミンを０．４重量部、及びハイドロキノンを０．２重量部添加し、１００℃で５時間攪拌し、共重合樹脂溶液（固形分５０％）を得た。
次に下記の材料を室温で攪拌、混合して硬化性樹脂組成物とした。
【０２１５】
＜硬化性樹脂組成物の組成＞
・上記共重合樹脂溶液（固形分５０％）：１６重量部
・ジペンタエリスリトールペンタアクリレート（サートマー社  SR399）：２４重量部
・オルソクレゾールノボラック型エポキシ樹脂（油化シェルエポキシ社  エピコート180S70）：４重量部
・２−メチル−１−（４‐メチルチオフェニル）−２−モルフォリノプロパン−１−オン：４重量部
・ジエチレングリコールジメチルエーテル：５２重量部
【０２１６】
（ブラックマトリクスの形成）
まず、下記分量の成分を混合し、サンドミルにて十分に分散し、黒色顔料分散液を調製した。
【０２１７】
＜黒色顔料分散液の組成＞
・黒色顔料：２３重量部
・高分子分散材（ビックケミー・ジャパン（株）  Disperbyk111）：２重量部
・溶剤（ジエチレングリコールジメチルエーテル）：７５重量部
【０２１８】
次に、下記分量の成分を十分混合して、遮光層用組成物を得た。
＜遮光層用組成物の組成＞
・上記黒色顔料分散液：６１重量部
・硬化性樹脂組成物：２０重量部
・ジエチレングリコールジメチルエーテル：３０重量部
【０２１９】
そして、厚み０．７ｍｍのガラス基板（旭硝子（株）  ＡＮ１００）上に上記遮光層用組成物をスピンコーターで塗布し、１００℃で３分間乾燥させ、膜厚約１μｍの遮光層を形成した。当該遮光層を、超高圧水銀ランプで遮光パターンに露光した後、０．０５ｗｔ％水酸化カリウム水溶液で現像し、その後、基板を１８０℃の雰囲気下に３０分間放置することにより加熱処理を施して遮光部を形成すべき領域にブラックマトリクスを形成した。
【０２２０】
（着色層の形成）
上記のようにしてブラックマトリクスを形成した基板上に、下記組成の赤色着色層用樹脂組成物をスピンコーティング法により塗布し、その後、７０℃のオーブン中で３分間乾燥した。次いで、赤色着色層用樹脂組成物の塗布膜から１００μｍの距離にフォトマスクを配置してプロキシミティアライナにより２．０ｋＷの超高圧水銀ランプを用いて着色層の形成領域に相当する領域のみに紫外線を１０秒間照射した。次いで、０．０５ｗｔ％水酸化カリウム水溶液（液温２３℃）中に１分間浸漬してアルカリ現像し、赤色着色層用樹脂組成物の塗布膜の未硬化部分のみを除去した。その後、基板を１８０℃の雰囲気下に３０分間放置することにより、加熱処理を施して赤色画素を形成すべき領域に赤色のレリーフパターン(厚み２．０μｍ)を形成した。
次に、下記組成の緑色着色層用樹脂組成物を用いて、赤色のレリーフパターン形成と同様の工程で、緑色画素を形成すべき領域に緑色のレリーフパターンを形成した。
さらに、下記組成の青色着色層用樹脂組成物を用いて、赤色のレリーフパターン形成と同様の工程で、青色画素を形成すべき領域に青色のレリーフパターンを形成し、赤（Ｒ）、緑（Ｇ）、青（Ｂ）の３色からなる着色層を形成した。以上の工程によりカラーフィルタ１（ＣＦ１）を得た。
【０２２１】
＜赤色着色層用樹脂組成物の組成＞
・Ｃ.Ｉ.ピグメントレッド１７７：２重量部
・Ｃ.Ｉ.ピグメントレッド２５４：４重量部
・ポリスルホン酸型高分子分散剤：２重量部
・上記硬化性樹脂組成物：３０重量部(固形分４０％)
・酢酸−３−メトキシブチル：６２重量部
【０２２２】
＜緑色着色層用樹脂組成物の組成＞
・Ｃ.Ｉ.ピグメントグリーン５８：２重量部
・Ｃ．Ｉ．ピグメントイエロー１３９：３重量部
・Ｃ.Ｉ.ピグメントブルー１５：３：３重量部
・ポリスルホン酸型高分子分散剤：２重量部
・上記硬化性樹脂組成物：２５重量部(固形分４０％)
・酢酸−３−メトキシブチル：６５重量部
【０２２３】
＜青色着色層用樹脂組成物の組成＞
・上記青色色材１：  ４重量部
・上記紫色色材1 :   １重量部
・ポリスルホン酸型高分子分散剤：３重量部
・上記硬化性樹脂組成物：３０重量部(固形分４０％)
・酢酸−３−メトキシブチル：６２重量部
【０２２４】
（保護膜の形成）
上記のようにして着色層を形成した基板上に、上記硬化性樹脂組成物をスピンコーティング法により塗布、乾燥し、乾燥塗膜２μｍの塗布膜を形成した。
上記硬化性樹脂組成物の塗布膜から１００μｍの距離にフォトマスクを配置してプロキシミティアライナにより２．０ｋＷの超高圧水銀ランプを用いて保護層の形成領域に相当する領域のみに紫外線を１０秒間照射した。次いで、０．０５ｗｔ％水酸化カリウム水溶液（液温２３℃）中に1分間浸漬してアルカリ現像し、硬化性樹脂組成物の塗布膜の未硬化部分のみを除去した。その後基板を２００℃の雰囲気中に３０分間放置することにより加熱処理を施して保護膜を形成した。
【０２２５】
（スペーサの形成）
上記のようにして着色層及び保護層を形成した基板上に、上記硬化性樹脂組成物をスピンコーティング法により塗布、乾燥し塗布膜を形成した。上記硬化性樹脂組成物の塗布膜から１００μｍの距離にフォトマスクを配置して、プロキシミティアライナにより２．０ｋＷの超高圧水銀ランプを用いてスペーサの形成領域のみに紫外線を１０秒間照射した。次いで、０．０５ｗｔ％水酸化カリウム水溶液（液温２３℃）中に1分間浸漬してアルカリ現像し、硬化性樹脂組成物の塗布膜の未硬化部分のみを除去した。その後基板を２００℃の雰囲気中に３０分間放置することにより加熱処理を施して、上端部面積が１００μｍ２で高さ３．０μｍの固定スペーサを所定の個数密度となるように形成した。
【０２２６】
（液晶セル部の作製）
上記のようにして得られたカラーフィルタにRN1349（日産化学社製）膜厚１００ｎｍとなるように塗布し、２４０℃、１５分間焼成した。焼成後、一定方向に偏光した放射線を１０００ｍＪ/ｃｍ２照射し、さらに２４０℃、１５分間焼成し配向膜を形成した。次いでＴＦＴを形成したガラス基板上にＩＰＳ液晶を必要量滴下し、上記カラーフィルタを重ね合わせ、ＵＶ硬化性樹脂をシール材として用い、常温で０．３ｋｇｆ/ｃｍ２の圧力をかけながら４００ｍＪ/ｃｍ２の照射量で露光することにより接合して、セル組みし、液晶セル部を得た。
【０２２７】
（バックライト部の作製）
ＬＥＤバックライトユニット(ＢＬＵＥ−ＬＥＤピーク波長４６３ｎｍ)を準備した。また、ＱＤ材料を含有するＱＤシートを準備した。ＱＤ材料はＣｄＳｅをコア材料とし、ＺｎＳをシェル材料とするものである。また、緑色ＱＤ材料は、平均粒径３ｎｍ、ピーク波長５２５ｎｍのものである。赤色ＱＤ材料は、平均粒径７ｎｍ、ピーク波長６４６ｎｍのものである。上記ＬＥＤバックライトユニット状に上記ＱＤシートを設置し、さらにＱＤシート状にＢＥＦ/ＢＥＦ/ＤＢＥＦ(３Ｍ社製)を設置してバックライト部１（ＢＬ１）を作製した。ＢＬ１の発光スペクトルにおける青色光、緑色光および赤色光のピーク波長および半値幅は、それぞれ、青色光（ピーク波長：４６３ｎｍ、半値幅２３ｎｍ）、緑色光（ピーク波長：５２５ｎｍ、半値幅３５ｎｍ）、赤色光（ピーク波長：６４６ｎｍ、半値幅３０ｎｍ）であった。
【０２２８】
（高演色液晶表示装置の作製）
バックライト部のＢＥＦ/ＢＥＦ/ＤＢＥＦ側に液晶パネルを設置して、高演色液晶表示装置を得た。
【０２２９】
［実施例２］
緑色着色用樹脂組成物２を使用したこと以外は、実施例１と同様にしてカラーフィルタ２（ＣＦ２）および高演色液晶表示装置を得た。
＜緑色着色層用樹脂組成物２の組成＞
・Ｃ．Ｉ．ピグメントイエロー１３９：４重量部
・Ｃ.Ｉ.ピグメントブルー１５：３：４重量部
・ポリスルホン酸型高分子分散剤：２重量部
・上記硬化性樹脂組成物：２５重量部(固形分４０％)
・酢酸−３−メトキシブチル：６５重量部
【０２３０】
［実施例３］
緑色着色用樹脂組成物３を使用した以外は実施例１と同様にしてカラーフィルタ３（ＣＦ３）および高演色液晶表示装置を得た。
＜緑色着色層用樹脂組成物３の組成＞
・Ｃ．Ｉ．ピグメントイエロー１３９：４重量部
・上記青色色材１：４重量部
・ポリスルホン酸型高分子分散剤：２重量部
・上記硬化性樹脂組成物：２５重量部(固形分４０％)
・酢酸−３−メトキシブチル：６５重量部
【０２３１】
［実施例４］
緑色着色用樹脂組成物４を使用した以外は実施例１と同様にしてカラーフィルタ４（ＣＦ４）および高演色液晶表示装置を得た。
＜緑色着色層用樹脂組成物４の組成＞
・Ｃ．Ｉ．ピグメントイエロー１３９：４重量部
・Ｃ．Ｉ．ピグメントブルー１５：６：４重量部
・ポリスルホン酸型高分子分散剤：２重量部
・上記硬化性樹脂組成物：２５重量部(固形分４０％)
・酢酸−３−メトキシブチル：６５重量部
【０２３２】
［実施例５］
緑色着色用樹脂組成物５を使用した以外は実施例１と同様にしてカラーフィルタ５（ＣＦ５）および高演色液晶表示装置を得た。
＜緑色着色層用樹脂組成物５の組成＞
・Ｃ．Ｉ．ピグメントイエロー１８３：４重量部
・Ｃ．Ｉ．ピグメントブルー１５：３：４重量部
・ポリスルホン酸型高分子分散剤：２重量部
・上記硬化性樹脂組成物：２５重量部(固形分４０％)
・酢酸−３−メトキシブチル：６５重量部
【０２３３】
［実施例６］
緑色着色用樹脂組成物６を使用した以外は実施例１と同様にしてカラーフィルタ６（ＣＦ６）および高演色液晶表示装置を得た。
＜緑色着色層用樹脂組成物６の組成＞
・Ｃ．Ｉ．ピグメントグリーン５８：３．５重量部
・Ｃ．Ｉ．ピグメントイエロー１５０：３．５重量部
・Ｃ．Ｉ．ピグメントブルー１５：３：１重量部
・ポリスルホン酸型高分子分散剤：２重量部
・上記硬化性樹脂組成物：２５重量部(固形分４０％)
・酢酸−３−メトキシブチル：６５重量部
【０２３４】
［実施例７］
ＬＥＤバックライトユニットのＢＬＵＥ−ＬＥＤのピーク波長を４６６ｎｍとし、緑色光のピーク波長を５２８ｎｍに調整したこと以外は実施例１と同様にしてバックライト部２（ＢＬ２）を得た。また、ＢＬ２およびＣＦ６を用いて実施例６と同様にして高演色液晶表示装置を得た。ＢＬ２の発光スペクトルにおける青色光、緑色光および赤色光のピーク波長および半値幅は、それぞれ、青色光（ピーク波長：４６６ｎｍ、半値幅２３ｎｍ）、緑色光（ピーク波長：５２８ｎｍ、半値幅３９ｎｍ）、赤色光（ピーク波長：６４６ｎｍ、半値幅２７ｎｍ）であった。
【０２３５】
［比較例］
バックライト光源のＢＬＵＥ−ＬＥＤのピーク波長を４５０ｎｍとした以外は実施例１と同様にしてバックライト部３（ＢＬ３）および高演色液晶表示装置を得た。
【０２３６】
［評価］
実施例１〜７および比較例の高演色液晶表示装置について輝度計（SR-UL1；トプコン社製)を用いてｘ値、ｙ値およびＹ値を求めた。また、ＢＴ．２０２０の色域に対する、実施例１〜７および比較例の高演色液晶表示装置のｘｙ色度図の色域の面積比およびカバー率を求めた。結果を表１に示す。
【０２３７】
【表１】
2016167041.tif 000015
【０２３８】
表１に示すように、実施例１〜７においては、比較例に比べてＢＴ．２０２０の色域に対する面積比およびカバー率を良好にすることができた。
【符号の説明】
【０２３９】
１  …  透明基板
２  …  着色層
２Ｒ  …  赤色着色層
２Ｇ  …  緑色着色層
２Ｂ  …  青色着色層
３  …  遮光部
４  …  カラーフィルタ
５  …  対向基板
６  …  液晶層
１０  …  液晶セル部
２０  …  バックライト部
２１  …  青色発光素子
２２  …  緑色量子ドット
２３  …  赤色量子ドット
３０Ａ、３０Ｂ  …  偏光板
１００  …  高演色液晶表示装置
２２０  …  導光板
【図１】
2016167041.tif 000016
【図２】
2016167041.tif 000017
【図４】
2016167041.tif 000018
【図６】
2016167041.tif 000019
【図７】
2016167041.tif 000020
【図３】
2016167041.tif 000021
【図５】
2016167041.tif 000022